(57)【要約】【課題】  休止中の基地局を起動する場合に、スループットなどのユーザ体感を考慮して最適な基地局を起動する。【解決手段】  複数の基地局のそれぞれから第１の負荷情報と、ユーザ端末からのＵＥ測定情報を受信する。受信した情報からサービス品質を満足していないユーザ端末が有ることを判定すると、そのユーザ端末の接続セルの周辺の休止中の基地局を起動候補として選択する。起動候補を起動した場合にユーザ端末で測定される各セルの推定無線品質情報と、ユーザ端末の接続セルの変化を予測して第２の負荷情報を求める。推定無線品質情報、第１および第２の負荷情報に基づいて、起動候補を起動した後のユーザ端末のサービス品質の推定値を計算する。計算したサービス品質推定値に基づいて、起動候補の中から起動すべき基地局を選択し、選択した基地局に、休止中から起動状態に移行させる起動指示を通知する。【選択図】      図４
2015220715.tif 000002
【特許請求の範囲】
【請求項１】
所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信し、所定のサービス品質を満足していない前記ユーザ端末があると、前記サービス品質を満足していない前記ユーザ端末の接続セルの周辺セルを管理できる休止中の基地局を、起動基地局候補として選択する起動基地局選択手段と、
前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得する無線品質情報計算手段と、
前記推定無線品質情報、前記第１の負荷情報および前記第２の負荷情報に基づいて、前記起動基地局候補を起動した後の前記ユーザ端末のサービス品質の推定値をサービス品質推定値として計算するサービス品質計算手段と、
を備え、
前記起動基地局選択手段は、前記サービス品質推定値に基づいて、前記起動基地局候補のいずれかを起動すべき基地局として選択し、選択した該基地局に、休止中から起動状態に移行させる起動指示を通知する
ことを特徴とする基地局制御装置。
【請求項２】
前記起動基地局選択手段は、前記起動基地局候補をそれぞれ起動した場合の前記サービス品質推定値を比較し、前記サービス品質推定値の最小値が最大となる前記起動基地局候補を起動すべき基地局として選択することを特徴とする請求項１に記載の基地局制御装置。
【請求項３】
前記起動基地局選択手段は、前記サービス品質を満足していない前記ユーザ端末の接続セルの周辺セルを管理できる休止中の複数の基地局のすべての組み合わせを、起動基地局組み合わせ候補として選択し、
前記無線品質情報計算手段は、前記起動基地局組み合わせ候補に含まれる基地局を起動した場合の前記推定無線品質情報を推定し、該推定無線品質情報に基づいて前記ユーザ端末の接続セルの変化を予測して、前記起動基地局組み合わせ候補に含まれる基地局を起動した後の起動中の基地局のそれぞれの第２の負荷情報を取得し、
前記サービス品質計算手段は、前記推定無線品質情報、前記第１の負荷情報および前記第２の負荷情報に基づいて、前記起動基地局組み合わせ候補に含まれる基地局を起動した後の前記サービス品質推定値を計算し、
前記起動基地局選択手段は、前記起動基地局組み合わせ候補をそれぞれ起動した場合の前記サービス品質推定値を比較し、前記サービス品質推定値を満足し、かつ起動する基地局数が最小となる起動基地局組み合わせ候補を選択し、選択した該起動基地局組み合わせ候補に含まれるすべての基地局に前記起動指示を通知する
ことを特徴とする請求項１に記載の基地局制御装置。
【請求項４】
前記無線品質情報計算手段は、前記ＵＥ測定情報と、位置情報と該位置で測定される各セルの無線品質情報を対応させて予め登録してあるデータベースと、を参照して前記推定無線品質情報を推定し、該推定無線品質情報に基づいて前記ユーザ端末のハンドオーバの有無を判定して前記ユーザ端末の接続セルの変化を予測することを特徴とする請求項１乃至請求項３のいずれかの請求項に記載の基地局制御装置。
【請求項５】
前記第１の負荷情報は、前記基地局が測定した、該接続セルに接続する前記ユーザ端末のスループット、該接続セルに接続するユーザ端末数、および周波数ブロック（Ｒｅｓｏｕｒｃｅ  Ｂｌｏｃｋ）使用率を含み、
前記サービス品質計算手段は、前記ＵＥ測定情報と前記第１の負荷情報をパラメータとして前記ユーザ端末の現時点におけるスループット推定値を計算し、前記起動基地局選択手段は、前記サービス品質計算手段による該計算結果を用いて所定のサービス品質を満足していない前記ユーザ端末の有無を判定することを特徴とする請求項１乃至請求項４のいずれかの請求項に記載の基地局制御装置。
【請求項６】
前記第２の負荷情報は、前記起動基地局候補を起動した後の前記ユーザ端末の接続セルの変化に伴う起動中の基地局のそれぞれに接続するユーザ端末数であって、
前記サービス品質計算手段は、前記推定無線品質情報と、前記第１の負荷情報が含む接続セルに接続するユーザ端末数、前記第２の負荷情報、および前記周波数ブロック使用率をパラメータとして、前記起動基地局候補を起動した後の前記ユーザ端末の前記サービス品質推定値を計算することを特徴とする請求項５に記載の基地局制御装置。
【請求項７】
所定のエリア内に配備された複数の基地局と、複数の前記基地局を制御する基地局制御装置を備え、
前記基地局制御装置は、請求項１乃至請求項６のいずれかの請求項に記載の基地局制御装置であって、
複数の前記基地局のそれぞれは、
該基地局が管理するセルを接続セルとするユーザ端末のサービス品質の実測値を含む該基地局の第１の負荷情報と該ユーザ端末が報告する前記ＵＥ測定情報を前記基地局制御装置に報告する基地局動作手段と、
前記基地局制御装置から前記起動指示の通知を受信すると、休止中の所定の装置動作を起動する起動制御手段と
を含むことを特徴とする移動通信システム。
【請求項８】
所定のエリア内に配備された第１の基地局と複数の第２の基地局を備え、
前記第１の基地局は、
該第１の基地局が管理するセルを接続セルとするユーザ端末のサービス品質の実測値を含む該第１の基地局の負荷情報および前記第２の基地局が管理するセルを接続セルとするユーザ端末のサービス品質の実測値を含む該第２の基地局の負荷情報である第１の負荷情報と、該第１の基地局に報告された、ユーザ端末の位置情報と該位置で測定される各セルの無線品質情報を含むＵＥ（Ｕｓｅｒ  Ｅｑｕｉｐｍｅｎｔ）測定情報と前記第２の基地局に報告された前記ＵＥ測定情報を管理し、所定のサービス品質を満足していない前記ユーザ端末の有無を判定するサービス品質判定手段と、
前記サービス品質を満足していない前記ユーザ端末が有ることを前記サービス品質判定手段が判定した場合、前記サービス品質を満足していない前記ユーザ端末の接続セルの周辺セルを管理できる休止中の第２の基地局を、起動基地局候補として選択する起動基地局候補選択手段と、
前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得する無線品質情報計算手段と、
前記推定無線品質情報、前記第１の負荷情報および前記第２の負荷情報に基づいて、前記起動基地局候補を起動した後の前記ユーザ端末のサービス品質の推定値をサービス品質推定値として計算するサービス品質計算手段と、
前記起動基地局候補のいずれかを、前記サービス品質推定値に基づいて、起動すべき基地局として選択し、選択した該第２の基地局に、休止中から起動状態に移行させる起動指示を通知する基地局起動通知手段と
を備え
複数の前記第２の基地局のそれぞれは、
該第２の基地局が管理するセルを接続セルとするユーザ端末のサービス品質の実測値を含む該第２の基地局の前記第１の負荷情報と該ユーザ端末が報告する前記ＵＥ測定情報を前記第１の基地局に報告する基地局動作手段と、
前記第１の基地局から前記起動指示の通知を受信すると、休止中の所定の装置動作を起動する起動制御手段と
を含むことを特徴とする移動通信システム。
【請求項９】
所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信して、所定のサービス品質を満足していない前記ユーザ端末の有無を判定し、
前記サービス品質を満足していない前記ユーザ端末が有ることを判定すると、前記サービス品質を満足していない前記ユーザ端末の接続セルの周辺セルを管理できる休止中の基地局を、起動基地局候補として選択し、
前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得し、
前記推定無線品質情報、前記第１の負荷情報および前記第２の負荷情報に基づいて、前記起動基地局候補を起動した後の前記ユーザ端末のサービス品質の推定値をサービス品質推定値として計算し、
前記サービス品質推定値に基づいて、前記起動基地局候補のいずれかを起動すべき基地局として選択し、選択した該基地局に、休止中から起動状態に移行させる起動指示を通知する
ことを特徴とする基地局制御方法。
【請求項１０】
コンピュータを、
所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信し、所定のサービス品質を満足していない前記ユーザ端末の有無を判定するサービス品質判定機能手段と、
前記サービス品質を満足していない前記ユーザ端末が有ることを前記サービス品質判定機能手段が判定した場合、前記サービス品質を満足していない前記ユーザ端末の接続セルの周辺セルを管理できる休止中の基地局を、起動基地局候補として選択する起動基地局候補選択機能手段と、
前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得する無線品質情報計算機能手段と、
前記推定無線品質情報、前記第１の負荷情報および前記第２の負荷情報に基づいて、前記起動基地局候補を起動した後の前記ユーザ端末のサービス品質の推定値をサービス品質推定値として計算するサービス品質計算機能手段と、
前記起動基地局候補のいずれかを、前記サービス品質推定値に基づいて、起動すべき基地局として選択し、選択した該基地局に、休止中から起動状態に移行させる起動指示を通知する基地局起動通知機能手段と
として機能させるためのプログラム。
【発明の詳細な説明】
【技術分野】
【０００１】
本発明は、移動通信システム、基地局制御装置、基地局制御方法およびプログラムに関し、特に、省電力制御で休止中の基地局を起動する移動通信システム、基地局制御装置、基地局制御方法およびプログラムに関する。
【背景技術】
【０００２】
スマートフォンやタブレット端末の普及に伴って、モバイル通信のデータトラヒックが急増しており、近年、高速・大容量化を実現するＬＴＥ（Ｌｏｎｇ  Ｔｅｒｍ  Ｅｖｏｌｕｔｉｏｎ）通信などの普及が進んでいる。また、音楽やビデオのストリーミングなどのアプリケーションでは、１Ｍｂｐｓ以上の通信速度（スループット）が求められている。
【０００３】
このデータトラヒックの急増に対応するために、設置される無線基地局（以下、基地局）数も増加すると予想される。具体的には、大型で送信電力が大きく通信エリアも広いマクロ基地局を設置し、小型で送信電力が小さく通信エリアも狭いスモール基地局を商業施設や多数のユーザが存在する幹線道路などに配置する無線アクセスネットワーク形態が予想されている。この無線アクセスネットワーク形態は、マクロ基地局でカバレッジ（通信範囲）を確保し、その上で、トラヒック需要が多い地域にスポット的にスモール基地局を配置することで、効率的にモバイルネットワークの大容量化を実現することができる。
【０００４】
このような様々な通信エリアの基地局が混在する無線アクセスネットワーク形態をヘテロジニアスネットワークと呼ぶ。また、上記通信エリアをセルと呼ぶが、アンテナに指向性を持たせることで、基地局は複数のセルを管理することもできる。
【０００５】
移動通信システムは、コアネットワークと、主に基地局で構成される無線アクセスネットワークと、ユーザ端末（以降、ＵＥ、Ｕｓｅｒ  Ｅｑｕｉｐｍｅｎｔ）から構成されている。そして、移動通信システムの電力の７０〜８０％が無線アクセスネットワークで消費されている。従って、データトラヒックの急増に対応して、基地局数が増大すると、消費電力も急増するため、運用コストの削減や環境負荷の低減の観点から、無線アクセスネットワークの消費電力を削減することは非常に重要な課題となってくる。
【０００６】
無線アクセスネットワークの消費電力を削減する方法として効果的なのは、基地局機能の全体、或いは基地局機能の一部を休止状態にして、基地局の消費電力を大幅に抑制することである。
【０００７】
無線アクセスネットワークの省電力化を図る技術が下記の特許文献に開示されている。
【０００８】
特許文献１は、無線アクセスネットワークにおいて、現在のトラフィック需要を満たすのに必要な稼働基地局を最小数またはできるだけ少数に維持する技術を開示する。この技術によれば、所定の基地局区間における負荷を監視し、過負荷の場合、過負荷でない隣接区間の有無を確認する。そして、過負荷でない隣接区間がある場合には、休止中の基地局を起動することなく、その隣接区間を含めて稼働基地局のパイロットチャネル電力を再設定して、エネルギー区画の再構成が行われる。また、過負荷でない隣接区間がない場合には、過負荷区間内において休止中となっている基地局が起動される。この過負荷区間内において起動される休止中の基地局は、負荷の高い基地局との単なる地理的関係に基づいて選択される。
【０００９】
特許文献２は、基地局を用いるＵＥが存在しない場合には基地局をスリープモードに移行させ、当該基地局に近接したＵＥがｗａｋｅ−ｕｐコマンドを送信した場合に即座に当該基地局を起動（ｗａｋｅ−ｕｐ）させる方法を開示する。基地局はカバレッジエリアにページングを行い、ページングに対する無応答を検出すると基地局を用いるＵＥが存在しないと判断する。また、基地局に近接したＵＥは、周辺に見えるセルのセル番号やＧＰＳ（Ｇｌｏｂａｌ  Ｐｏｓｉｔｉｏｎｉｎｇ  Ｓｙｓｔｅｍ）情報など任意の情報であるｆｉｎｇｅｒｐｒｉｎｔを検出してｗａｋｅ−ｕｐコマンドを送信する。
【先行技術文献】
【特許文献】
【００１０】
【特許文献１】特表２０１３−５０９７６１号公報
【特許文献２】国際公開第２０１０/１５１１８６号
【発明の概要】
【発明が解決しようとする課題】
【００１１】
省電力化のために稼働を停止させた基地局であっても、通信中のユーザに対するスループットや送信遅延などのユーザ体感を維持するために、ＵＥの移動状況に応じて、休止状態にした基地局を適宜起動する必要がある。
【００１２】
特許文献１が開示する技術は、トラフィック需要を満たすのに必要な稼働基地局を最小数またはできるだけ少数に維持することに主眼をおいたものである。そのため、通信中のユーザに対するユーザ体感を維持することについては言及していない。
【００１３】
一方、特許文献２が開示する技術は、休止中の基地局に近づいたＵＥが、いわゆるｆｉｎｇｅｒｐｒｉｎｔを検出してｗａｋｅ−ｕｐコマンドを送信することにより休止中の基地局を起動する。この観点からは、特許文献２が開示する技術は、ＵＥの移動状況に応じて、休止状態の基地局を適宜起動することができる。しかし、この技術は、ユーザ体感を考慮することなく、ＵＥが休止中の基地局に近づけば即座にその休止中の基地局を起動する。そのため、状況によっては起動しなくてもよい基地局を起動してしまうことになり、消費電力とユーザ体感の維持の観点で問題があった。
【００１４】
図１６は、特許文献２が開示する技術における課題を説明する概念図である。
【００１５】
同図の上部と下部に２つの課題（課題１、課題２）が示されている。
【００１６】
同図の上部に示す課題１は、特許文献２が開示する技術を用いた場合に、ユーザ体感の観点で問題がないにも関わらず無駄に基地局を起動してしまい、消費電力が増加してしまうという課題である。
【００１７】
また、同図の下部に示す課題２は、特許文献２が開示する技術を用いた場合に、ユーザ体感をより向上することができる基地局を起動することができないという課題である。
【００１８】
なお、ここではユーザ体感をＵＥのスループットとして説明する。また、スループット１Ｍｂｐｓ以上をユーザ体感の要求基準と仮定する。
【００１９】
図１６には、無線アクセスネットワークを構成する基地局として基地局Ｎ１乃至Ｎ４が例示されている。このうち基地局Ｎ１、Ｎ２は起動中、基地局Ｎ３、Ｎ４は休止中であると仮定する。
【００２０】
課題１について説明する。
【００２１】
基地局に接続しようとする新規ＵＥ３が基地局Ｎ２と基地局Ｎ３の境界付近に発生したとすると、特許文献２の技術によれば、図１６上部の左側の図に示すように新規ＵＥ３は休止中の基地局Ｎ３を起動する。このとき、新規ＵＥ３は基地局Ｎ３を起動してスループット７Ｍｂｐｓで通信できる。
【００２２】
しかし、この場合、図１６上部の右側の図に示すように、新規ＵＥ３は、基地局Ｎ３を起動しなくても稼働中の基地局Ｎ２との間でもスループット４Ｍｂｐｓで通信できるような状況であったとする。つまり、新規ＵＥ３は、基地局Ｎ２との間で要求基準の１Ｍｂｐｓよりも大きいユーザスループットを達成できるにもかかわらず基地局Ｎ３を起動してしまい、消費電力を増加させてしまっている。
【００２３】
課題２について説明する。
【００２４】
新規ＵＥ５が基地局Ｎ２、基地局Ｎ３および基地局４の境界付近に発生したとすると、特許文献２の技術によれば、図１６下部の左側の図に示すように新規ＵＥ５は休止中の基地局Ｎ３を起動する。このとき、新規ＵＥ５は基地局Ｎ３を起動してスループット５Ｍｂｐｓで通信できる。しかし、稼働中の基地局Ｎ２は高負荷状態で、基地局Ｎ２と基地局４の境界付近に存在するＵＥ３は要求基準ぎりぎりの１Ｍｂｐｓで通信している。
【００２５】
この場合、図１６下部の右側の図に示すように、基地局Ｎ４を起動すれば、負荷分散の効果により、新規ＵＥ５は基地局Ｎ４との間で４Ｍｂｐｓのスループットで通信でき、しかもＵＥ３はスループットが２Ｍｂｐｓまで改善できる。
【００２６】
本発明は上記課題を鑑みてなされたものである。本発明の目的は、スループットなどのユーザ体感を考慮して最適な休止中基地局を起動することができ、不必要な消費電力の増加を防ぐことができる移動通信システム、基地局制御装置、基地局制御方法およびプログラムを提供することにある。
【課題を解決するための手段】
【００２７】
上記の目的を実現するために、本発明の一形態である基地局制御装置は、所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信し、所定のサービス品質を満足していない前記ユーザ端末があると、前記サービス品質を満足していない前記ユーザ端末の接続セルの周辺セルを管理できる休止中の基地局を、起動基地局候補として選択する起動基地局選択手段と、前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得する無線品質情報計算手段と、前記推定無線品質情報、前記第１の負荷情報および前記第２の負荷情報に基づいて、前記起動基地局候補を起動した後の前記ユーザ端末のサービス品質の推定値をサービス品質推定値として計算するサービス品質計算手段と、を備え、前記起動基地局選択手段は、前記サービス品質推定値に基づいて、前記起動基地局候補のいずれかを起動すべき基地局として選択し、選択した該基地局に、休止中から起動状態に移行させる起動指示を通知することを特徴とする。
【００２８】
また、本発明の他の一形態である移動通信システムは、所定のエリア内に配備された複数の基地局と、複数の前記基地局を制御する基地局制御装置を備え、前記基地局制御装置は、上記に記載の基地局制御装置であって、複数の前記基地局のそれぞれは、該基地局が管理するセルを接続セルとするユーザ端末のサービス品質の実測値を含む該基地局の負荷情報と該ユーザ端末が報告する前記ＵＥ測定情報を前記基地局制御装置に報告する基地局動作手段と、前記基地局制御装置から前記起動指示の通知を受信すると、休止中の所定の装置動作を起動する起動制御手段と、を含むことを特徴とする。
【００２９】
また、本発明の他の形態である基地局制御方法は、所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信して、所定のサービス品質を満足していない前記ユーザ端末の有無を判定し、前記サービス品質を満足していない前記ユーザ端末が有ることを判定すると、前記サービス品質を満足していない前記ユーザ端末の接続セルの周辺セルを管理できる休止中の基地局を、起動基地局候補として選択し、前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得し、前記推定無線品質情報、前記第１の負荷情報および前記第２の負荷情報に基づいて、前記起動基地局候補を起動した後の前記ユーザ端末のサービス品質の推定値をサービス品質推定値として計算し、前記サービス品質推定値に基づいて、前記起動基地局候補のいずれかを起動すべき基地局として選択し、選択した該基地局に、休止中から起動状態に移行させる起動指示を通知することを特徴とする。
【００３０】
さらに、本発明の別の形態であるプログラムは、コンピュータを、所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信し、所定のサービス品質を満足していない前記ユーザ端末の有無を判定するサービス品質判定機能手段と、前記サービス品質を満足していない前記ユーザ端末が有ることを前記サービス品質判定機能手段が判定した場合、前記サービス品質を満足していない前記ユーザ端末の接続セルの周辺セルを管理できる休止中の基地局を、起動基地局候補として選択する起動基地局候補選択機能手段と、前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得する無線品質情報計算機能手段と、前記推定無線品質情報、前記第１の負荷情報および前記第２の負荷情報に基づいて、前記起動基地局候補を起動した後の前記ユーザ端末のサービス品質の推定値をサービス品質推定値として計算するサービス品質計算機能手段と、前記起動基地局候補のいずれかを、前記サービス品質推定値に基づいて、起動すべき基地局として選択し、選択した該基地局に、休止中から起動状態に移行させる起動指示を通知する基地局起動通知機能手段として機能させるためのプログラムであることを特徴とする。
【発明の効果】
【００３１】
本発明は、サービス品質に基づくユーザ体感を考慮して最適な休止中基地局を起動することができ、不必要な消費電力の増加を防ぐことができる。
【図面の簡単な説明】
【００３２】
【図１】本発明の第１の実施形態の移動通信システムの構成を示すブロック図である。
【図２】本発明の第１の実施形態の基地局制御装置の構成を示すブロック図である。
【図３】本発明の第１の実施形態の基地局の構成を示すブロック図である。
【図４】本発明の第１の実施形態の基地局制御方法の処理の流れを示すフロー図である。
【図５】本発明の第１の実施形態の基地局制御装置のハードウェア構成を示すブロック図である。
【図６】本発明の第１の実施形態のプログラムが実現する機能手段の構成を示す図である。
【図７】本発明の第２の実施形態の移動通信システムの構成を示すブロック図である。
【図８】本発明の第２の実施形態の基地局制御装置の構成を示すブロック図である。
【図９】ＵＥ測定情報データベースに登録されているデータ例を示す図である。
【図１０】本発明の第２の実施形態の基地局制御装置の動作を示すフロー図である。
【図１１】本発明の第２の実施形態の基地局制御装置の動作の変形例を示すフロー図である。
【図１２】本発明の第２の実施形態の基地局の動作を示すフロー図である。
【図１３】本発明の第３の実施形態の基地局制御装置の動作を示すフロー図である。
【図１４】本発明の第４の実施形態の移動通信システムの構成を示すブロック図である。
【図１５】本発明の第４の実施形態の主基地局の構成を示すブロック図である。
【図１６】本発明の背景となる課題を説明する概念図である。
【発明を実施するための形態】
【００３３】
本発明を実施するための形態について図面を参照して説明する。
【００３４】
尚、実施の形態は例示であり、開示の装置及びシステムは、以下の実施の形態の構成には限定されない。
【００３５】
図１は、本発明の第１の実施形態の移動通信システム１の構成を示すブロック図である。
【００３６】
図１を参照すると、本実施形態の移動通信システム１は、基地局制御装置１０、所定のエリア内に配備された複数の基地局２０−１乃至２０−４およびユーザ端末（ＵＥ）４０−１乃至４０−３を含んで構成される。基地局２０−１乃至２０−４はそれぞれの通信エリアである無線セル（以後、セルと呼ぶ）３０−１乃至３０−４を形成する。
【００３７】
ここで、実線で示す基地局２０−１、２０−２は起動中であり、点線で示す基地局２０−３、２０−４は休止中であるものとする。
【００３８】
なお、以降の説明において、基地局、ＵＥまたはセルを総称として説明する場合には、基地局２０、ＵＥ４０またはセル３０とし、基地局、ＵＥまたはセルを特定して説明する場合には、基地局２０−ｘ、ＵＥ４０−ｘまたはセル３０−ｘと称するものとする。
【００３９】
ＵＥ４０は、位置情報と該位置で測定される各セルの無線品質情報を含むＵＥ（Ｕｓｅｒ  Ｅｑｕｉｐｍｅｎｔ）測定情報を、該ＵＥ４０の接続セルを管理する基地局２０に報告している。例えば、ＵＥ４０−１は、ＵＥ４０−１の現在の位置情報と、その位置で受信するセル３０−１とセル３０−２の無線品質情報を基地局２０−１に報告している。
【００４０】
基地局２０は、該基地局２０が管理するセル３０を接続セルとするＵＥ４０のサービス品質の実測値を含む該基地局２０の負荷情報と、各ＵＥ４０から報告されたＵＥ測定情報を基地局制御装置１０に送信する。例えば、基地局２０−１は、ＵＥ４０−１のサービス品質を測定し、その実測値を含む該基地局２０−１の負荷情報と、ＵＥ４０−１が報告したＵＥ測定情報を基地局制御装置１０に送信する。なお、基地局２０−１が管理するセル３０を接続セルとする図示しない他のＵＥ４０のサービス品質やＵＥ測定情報も基地局制御装置１０に送信されることは言うまでもない。
【００４１】
ここで、各基地局２０が基地局制御装置１０に送信する負荷情報を、後述する休止中の基地局を起動した場合に想定される各基地局２０の負荷情報と区別するために、第１の負荷情報と称する。なお、後述するが、休止中の基地局を起動した場合に想定される各基地局２０の負荷情報は第２の負荷情報と称する。
【００４２】
基地局制御装置１０は、後述する制御を行い、休止中となっている基地局２０を起動させることを決定した場合、その起動候補となる起動基地局候補を選択し、その起動基地局候補から起動対象とする基地局２０を選択する。そして、起動対象として選択した基地局２０に起動指示を通知する。例えば、基地局制御装置１０は、起動基地局候補として休止中の基地局２０−３と基地局２０−４を選択し、起動対象とする基地局２０として休止中の基地局２０−３を選択したとする。この場合、基地局制御装置１０は、基地局２０−３に起動指示を通知する。
【００４３】
まず、基地局制御装置１０の構成について図２を参照して説明する。
【００４４】
図２は、本発明の第１の実施形態の基地局制御装置１０の構成を示すブロック図である。
【００４５】
基地局制御装置１０は、起動基地局選択手段１１、無線品質情報計算手段１２およびサービス品質計算手段１３を含む構成になっている。
【００４６】
起動基地局選択手段１１は、所定のエリア内に配備された複数の基地局２０のそれぞれから、上述した、該基地局２０の第１の負荷情報と、ＵＥ４０が該基地局２０に報告したＵＥ測定情報を受信する。そして、起動基地局選択手段１１は、所定のサービス品質を満足していないＵＥ４０があると、そのサービス品質を満足していないＵＥ４０の接続セルの周辺セルを管理できる休止中の基地局２０を、起動基地局候補として選択する。
【００４７】
また、起動基地局選択手段１１は、サービス品質計算手段１３が後述するようにして計算したサービス品質推定値に基づいて、起動基地局候補のいずれかを起動すべき基地局２０として選択する。そして、起動基地局選択手段１１は、選択した該基地局２０に、休止中から起動状態に移行させる起動指示を通知する。
【００４８】
無線品質情報計算手段１２は、起動基地局候補を起動した場合にＵＥ４０で測定される各セルの無線品質情報を推定無線品質情報として推定する。そして、無線品質情報計算手段１２は、該推定無線品質情報に基づいてＵＥ４０の接続セルの変化を予測して、起動基地局候補を起動した後の起動中の基地局２０のそれぞれの負荷情報を前述した第２の負荷情報として取得する。
【００４９】
サービス品質計算手段１３は、推定無線品質情報、第１の負荷情報および第２の負荷情報に基づいて、起動基地局候補を起動した後のＵＥ４０のサービス品質の推定値をサービス品質推定値として計算する。
【００５０】
次に、基地局２０の構成について図３を参照して説明する。
【００５１】
図３は、第１の実施形態の基地局２０の構成を示すブロック図である。
【００５２】
基地局２０は、基地局動作手段２０１と、起動制御手段２０２を含む構成となっている。
【００５３】
基地局動作手段２０１は、該基地局２０が管理するセル３０を接続セルとするＵＥ４０のサービス品質の実測値を含む該基地局２０の負荷情報（第１の負荷情報）と、ＵＥ４０が報告するＵＥ測定情報を基地局制御装置１０に報告する。
【００５４】
起動制御手段２０２は、基地局制御装置１０から起動指示の通知を受信すると、休止中の所定の装置動作を起動する。
【００５５】
次に、第１の実施形態の基地局制御方法を説明する。
【００５６】
図４は、第１の実施形態の基地局制御方法の処理の流れを示すフロー図である。
【００５７】
まず、所定のエリア内に配備された複数の基地局２０のそれぞれから、該基地局２０が管理するセル３０を接続セルとするＵＥ４０のサービス品質の実測値を含む該基地局２０の第１の負荷情報と、ＵＥ４０が該基地局２０に報告したＵＥ測定情報を受信する。そして、所定のサービス品質を満足していないＵＥ４０の有無を判定する（Ｓ１０１）。
【００５８】
サービス品質を満足していないＵＥ４０が有ることを判定すると、そのサービス品質を満足していないＵＥ４０の接続セルの周辺セルを管理できる休止中の基地局２０を、起動基地局候補として選択する（Ｓ１０２）。
【００５９】
起動基地局候補を起動した場合にＵＥ４０で測定される各セルの無線品質情報を推定無線品質情報として推定する。そして、該推定無線品質情報に基づいてＵＥ４０の接続セルの変化を予測して、起動基地局候補を起動した後の起動中の基地局のそれぞれの負荷情報を第２の負荷情報として取得する（Ｓ１０３）。
【００６０】
推定無線品質情報、第１の負荷情報および第２の負荷情報に基づいて、起動基地局候補を起動した後のＵＥ４０のサービス品質の推定値をサービス品質推定値として計算する（Ｓ１０４）。
【００６１】
計算したサービス品質推定値に基づいて、起動基地局候補のいずれかを起動すべき基地局２０として選択し、選択した該基地局２０に、休止中から起動状態に移行させる起動指示を通知する（Ｓ１０５）。
【００６２】
次に、第１の実施形態のプログラムを説明する。
【００６３】
図５は、第１の実施形態による基地局制御装置１０のハードウェア構成を示すブロック図である。
【００６４】
図５を参照すると、基地局制御装置１０は、一般的なコンピュータ装置と同様のハードウェア構成によって実現することができ、次の構成を備える。
【００６５】
ハードウェア構成として、制御部であるＣＰＵ（Ｃｅｎｔｒａｌ  Ｐｒｏｃｅｓｓｉｎｇ  Ｕｎｉｔ）３１、主記憶部３２、補助記憶部３３を含む。主記憶部３２は、ＲＡＭ（Ｒａｎｄｏｍ  Ａｃｃｅｓｓ  Ｍｅｍｏｒｙ）等で構成され、補助記憶部３３は、磁気ディスク、半導体メモリ等の不揮発メモリから構成されるハードディスク装置を含む。
【００６６】
また、ハードウェア構成として、ネットワークを介してデータの送受信を行う通信制御部３４、ディスプレイによる表示部３５、キー操作を行う入力部３６、上記各構成要素を相互に接続するシステムバス３７等を含む。
【００６７】
本実施形態の基地局制御装置１０は、その動作を、基地局制御装置１０の内部に各機能を実現するプログラムを組み込んだＬＳＩ（Ｌａｒｇｅ  Ｓｃａｌｅ  Ｉｎｔｅｇｒａｔｉｏｎ）等のハードウェア部品からなる回路部品を実装して実現してもよい。また、本実施形態の基地局制御装置１０は、各構成要素の各機能を提供するプログラムを、コンピュータ処理装置上のＣＰＵ３１で実行することにより、ソフトウェア的に実現してもよい。
【００６８】
すなわち、ＣＰＵ３１は、補助記憶部３３に格納されているプログラムを、主記憶部３２にロードして実行し、あるいは補助記憶部３３上で直接実行し、基地局制御装置１０の動作を制御することにより、各機能をソフトウェア的に実現する。
【００６９】
本発明の第１の実施形態のプログラムが実現する機能手段の構成を図６に示す。
【００７０】
本実施形態のプログラムは、コンピュータを、サービス品質判定機能手段３０１、起動基地局候補選択機能手段３０２、無線品質情報計算機能手段３０３、サービス品質計算機能手段３０４および基地局起動通知機能手段３０５として機能させる。
【００７１】
サービス品質判定機能手段３０１は、所定のエリア内に配備された複数の基地局２０のそれぞれから、該基地局２０を接続セルとするＵＥ４０のサービス品質の実測値を含む該基地局２０の第１の負荷情報と、ＵＥ４０が該基地局２０に報告したＵＥ測定情報を受信する。そして、所定のサービス品質を満足していないＵＥ４０の有無を判定する。
【００７２】
起動基地局候補選択機能手段３０２は、サービス品質を満足していないＵＥ４０が有ることが判定された場合、サービス品質を満足していないＵＥ４０の接続セルの周辺セルを管理できる休止中の基地局２０を、起動基地局候補として選択する。
【００７３】
無線品質情報計算機能手段３０３は、起動基地局候補を起動した場合にＵＥ４０で測定される各セルの無線品質情報を推定無線品質情報として推定する。そして、該推定無線品質情報に基づいてＵＥ４０の接続セルの変化を予測して、起動基地局候補を起動した後の起動中の基地局２０のそれぞれの負荷情報を第２の負荷情報として取得する。
【００７４】
サービス品質計算機能手段３０４は、推定無線品質情報、第１の負荷情報および第２の負荷情報に基づいて、起動基地局候補を起動した後のＵＥ４０のサービス品質の推定値をサービス品質推定値として計算する。
【００７５】
基地局起動通知機能手段３０５は、起動基地局候補のいずれかを、計算したサービス品質推定値に基づいて、起動すべき基地局２０として選択し、選択した該基地局２０に、休止中から起動状態に移行させる起動指示を通知する。
【００７６】
以上に説明したように、本実施形態は、サービス品質を満足していないＵＥ４０がある場合に、休止中の基地局２０を起動した場合の各ＵＥ４０におけるサービス品質推定値を計算して、休止中の基地局２０のいずれを起動すべきかを判断することができる。そのため、サービス品質に基づくユーザ体感を考慮して最適な休止中基地局を起動することができ、不必要な消費電力の増加を防ぐことができる。
【００７７】
次に、第２の実施形態を説明する。
【００７８】
まず、構成について説明する。
【００７９】
図７は、本発明の第２の実施形態の移動通信システム２の構成を示すブロック図である。本実施形態では、移動通信システム２としてＬＴＥを例に説明する。
【００８０】
なお、図７は、図１を参照して説明した第１の実施形態の移動通信システム１の基地局制御装置１０が基地局制御装置１００になっている点において相違するのみである。そのため、第１の実施形態の移動通信システム１での説明の基地局制御装置１０を基地局制御装置１００に読み替えればよい。
【００８１】
追加的な説明としては、基地局２０−１はマクロ基地局であり、セル３０−１を形成し、その中のトラヒック需要が多い地域にスポット的にスモール基地局として基地局２０−２乃至２０−４が配置されている。つまり、スモール基地局である基地局２０−２乃至２０−４が形成するセル３０−２乃至３０−４はセル３０−１に包含される形態となっている。
【００８２】
基地局制御装置１００は、起動中の基地局２０−１、２０−２からＵＥ測定情報や各セルの負荷情報を取得し、休止中の基地局２０−３、２０−４の起動制御を実施する。
【００８３】
基地局２０は、起動中の状態であれば、セル３０を管理し（以後、このセルを自セルと呼ぶ）、接続したＵＥ４０との間で双方向の通信を行う。また、基地局２０は、自セルの負荷（第１の負荷情報）を測定し、基地局制御装置１００に報告する。
【００８４】
基地局２０は、起動中の状態であれば、図示していないが、コアネットワークなど上位ネットワークに接続されており、ＵＥ４０と上位ネットワーク間のトラヒック通信を中継する。また、基地局２０は、起動中の状態であれば、ＵＥ４０からＵＥ測定情報を取得する。
【００８５】
ＵＥ測定情報には、本実施形態では、ＲＳＲＰ（Ｒｅｆｅｒｅｎｃｅ  Ｓｉｇｎａｌ  Ｒｅｃｅｉｖｅｄ  Ｐｏｗｅｒ）と位置情報を含む。
【００８６】
ＲＳＲＰは、各基地局２０が送信するリファレンス信号のＵＥ４０における受信強度であり、ＬＴＥではＵＥｍｅａｓｕｒｅｍｅｎｔと呼ばれる一般的な受信強度の指標の１つである。
【００８７】
位置情報の取得方法としては、例えば、３ＧＰＰ（Ｔｈｒｉｄ  Ｇｅｎｅｒａｔｉｏｎ  Ｐａｒｔｎｅｒｓｈｉｐ  Ｐｒｏｊｅｃｔ）で標準化されているＭＤＴ（Ｍｉｎｉｍｉｚａｔｉｏｎ  ｏｆ  Ｄｒｉｖｅ  Ｔｅｓｔｓ）を用いることが考えられる。ＭＤＴは、従来、基地局２０のカバレッジ最適化のために、通信事業者がドライブテストなどにより実施していた各基地局２０の信号強度の測定を、ＵＥ４０を使用して、自動的に収集する仕組みである。ＭＤＴを用いることで、サービスエリア内を移動してサービス品質を確認するドライブテストと比べ、工数やコストの削減が期待できる。また、その他の位置情報の取得方法として、スマートフォン等のアプリケーションで取得した位置情報を読み取る方法を用いてもよい。
【００８８】
ＵＥ４０は、接続している基地局２０の指示に基づいて、上述したＵＥ測定情報を報告する。
【００８９】
次に、基地局制御装置１００の構成を説明する。
【００９０】
図８は、第２の実施形態の基地局制御装置１００の構成例を示すブロック図である。基地局制御装置１００は、起動基地局選択部１０１、無線品質情報計算部１０２、サービス品質計算部１０３およびＵＥ測定情報データベース１０４を含む構成となっている。起動基地局選択部１０１、無線品質情報計算部１０２およびサービス品質計算部１０３は、第１の実施形態の基地局制御装置１０の起動基地局選択手段１１、無線品質情報計算手段１２およびサービス品質計算手段１３にそれぞれ対応する。そして、ＵＥ測定情報データベース１０４は第１の実施形態の無線品質情報計算手段１２に含まれる。
【００９１】
また、起動基地局選択部１０１は、サービス品質判定ユニット１０１１、起動基地局候補選択ユニット１０１２および基地局起動通知ユニット１０１３を含む。
【００９２】
起動基地局選択部１０１は、起動中の基地局２０から報告されるＵＥ測定情報と第１の負荷情報に基づいてＵＥ４０に対するサービス品質の要求値が満足しているか否かを判定し、その上で休止中の基地局２０を起動するか否かの必要性を判定する。起動基地局選択部１０１では、サービス品質判定ユニット１０１１がＵＥ４０に対するサービス品質の要求値が満足しているか否かを判定する。
【００９３】
起動基地局選択部１０１は、休止中の基地局２０を起動する必要性があると判断した場合、起動すべき休止中の基地局２０の候補を起動基地局候補として選択し、無線品質情報計算部１０２に通知する。この処理は、起動基地局候補選択ユニット１０１２が実施する。
【００９４】
無線品質情報計算部１０２が、起動基地局候補を起動した場合の各ＵＥ４０の無線品質の変化を推定し、それに伴う各セルの第２の負荷情報を取得する。そして、サービス品質計算部１０３が、起動基地局候補を起動した場合の各ＵＥ４０のサービス品質推定値を計算する。
【００９５】
そして、起動基地局選択部１０１は、そのサービス品質推定値に基づいて、起動基地局候補の中から起動すべき休止中の基地局２０を選択する。起動基地局選択部１０１は選択した休止中の基地局２０に起動指示を通知する。これらの処理は、起動基地局選択部１０１では、基地局起動通知ユニット１０１３が実施する。
【００９６】
無線品質情報計算部１０２は、起動基地局候補を起動した場合の各ＵＥ４０のＲＳＲＰを推定する。この推定にあたって、無線品質情報計算部１０２は、基地局２０から報告されたＵＥ測定情報と、ＵＥ測定情報データベース１０４に保持されているＲＳＲＰと位置情報のデータベース情報を参照する。そして、無線品質情報計算部１０２は、起動基地局候補を起動した後の各ＵＥ４０の接続セルの変化を予測する。
【００９７】
つまり、起動基地局候補を起動したことによりＵＥ４０が受信する各セルの無線品質が変化して、それに起因したハンドオーバが行われることが予想される。そこで、無線品質情報計算部１０２は、起動基地局候補を起動したことによる各ＵＥ４０のＲＳＲＰを推定し、その推定したＲＳＲＰに基づいて、各ＵＥ４０の接続セルの変化を予測する。そして、無線品質情報計算部１０２は、各ＵＥ４０の接続セルの変化に基づいて、各セルに属する接続ＵＥ数を取得する。ここで無線品質情報計算部１０２が取得した各セルの接続ＵＥ数は、起動基地局候補を起動した後の各セルの新たな負荷情報である第２の負荷情報として扱われる。
【００９８】
サービス品質計算部１０３は、起動基地局候補を起動した場合の各ＵＥ４０のサービス品質の推定値を計算する。このとき、サービス品質計算部１０３は、無線品質情報計算部１０２で計算したＲＳＲＰの推定値および第２の負荷情報と、基地局２０から報告されている第１の負荷情報を用いて計算する。
【００９９】
また、サービス品質計算部１０３は、後述するように、現在の各ＵＥ４０のサービス品質の推定値も計算できる。
【０１００】
ここで、本実施形態では、基地局２０における接続ＵＥ数、各ＵＥ４０のサービス品質の実測値、および周波数ブロック（Ｒｅｓｏｕｒｃｅ  Ｂｌｏｃｋ）使用率を基地局２０の第１の負荷情報としている。
【０１０１】
周波数ブロックとは、データ送信のために割り当てられる単位周波数ブロックである。そして、その使用率とは、所定時間内に割り当て可能な延べ周波数ブロック数に対して、実際に割り当てられた周波数ブロック数の割合である。
【０１０２】
また、サービス品質はＵＥ４０のスループットとし、これは、基地局バッファにパケットデータが到着してからそのパケットデータの送信が完了するまでの時間を遅延時間として、その遅延時間当たりの送信データ量を計算したものである。
【０１０３】
ＵＥ測定情報データベース１０４は、位置情報と、その位置で測定された各セルのＲＳＲＰを対応させて登録したリストを含むデータベースである。このＵＥ測定情報データベース１０４は、各基地局２０から報告されるＵＥ測定情報を統計データとして収集して作成されたものである。
【０１０４】
図９は、ＵＥ測定情報データベース１０４の登録リストの例を示す図である。
【０１０５】
図９を参照すると、緯度、経度で示される位置情報と、その位置において測定された各セルのＲＳＲＰが強度の順（ＲＳＲＰ１、ＲＳＲＰ２、ＲＳＲＰ３、ＲＳＲＰ４）に登録されている。
【０１０６】
例えば、１行目に示す位置では、セルＩＤ１のセルから−８０ｄＢｍ、セルＩＤ２のセルから−１０１ｄＢｍ、セルＩＤ３のセルから−１１７ｄＢｍ、セルＩＤ４のセルから−１１９ｄＢｍの強度でＲＳＲＰがそれぞれ受信される。また、２行目に示す位置になると、セルＩＤ２のセルから−８５ｄＢｍ、セルＩＤ３のセルから−１００ｄＢｍ、セルＩＤ５のセルから−１１１ｄＢｍ、セルＩＤ１のセルから−１１２ｄＢｍの強度でＲＳＲＰがそれぞれ受信される。
【０１０７】
第２の実施形態の基地局２０の構成は、図３を参照して説明した第１の実施形態の基地局２０と同じである。
【０１０８】
追加的な説明としては、起動中の基地局２０と休止中の基地局２０とでは入出力の情報が異なる。起動中の基地局２０は、接続ＵＥ４０が存在すれば、ＵＥ４０からＵＥ測定情報が報告（入力）され、基地局制御装置１００にＵＥ測定情報と該基地局２０の第１の負荷情報を報告（出力）する。一方、休止中の基地局２０は、基地局制御装置１００から、起動指示が通知（入力）される。
【０１０９】
また、基地局動作手段２０１は、例えば基地局２０からＵＥ４０方向（下り）の通信では、各ＵＥ４０のデータをバッファリングし、そのデータを各ＵＥ４０に送信するなど、移動通信システムにおいて一般的に用いられる基地局と同等の機能を有する。
【０１１０】
本実施形態では、基地局動作手段２０１はＵＥ４０から報告されたＵＥ測定情報を基地局制御装置１００に報告する。また、基地局動作手段２０１は各ＵＥ４０のサービス品質の実測値としてスループットを測定し、接続ＵＥ数と周波数ブロック使用率とともに、第１の負荷情報として基地局制御装置１００に所定の周期で報告する。
【０１１１】
一方、起動制御手段２０２は、基地局制御装置１００から受信する起動指示や接続中のＵＥ情報に基づいて、基地局２０の起動や休止の制御を実施する。
【０１１２】
以上のように構成された本実施形態の動作を図１０乃至図１２のフロー図を参照して説明する。
【０１１３】
図１０は、第２の実施形態の基地局制御装置１００の動作を示すフロー図である。図１１は、第２の実施形態の基地局制御装置１００の動作の変形例を示すフロー図である。図１２は、第２の実施形態の基地局２０の動作を示すフロー図である。
【０１１４】
まず、図１０を説明する。
【０１１５】
図１０は、起動すべき休止中の基地局２０を基地局制御装置１００が選択して起動指示を通知する制御動作を示すフロー図である。基地局制御装置１００は、本動作を所定周期で実行する。本実施形態では、起動中の基地局２０からの所定の周期で報告されるＵＥ測定情報と第１の負荷情報の受信タイミングで、本動作を実行する。なお、本実施形態では起動する休止中の基地局数は１局とする。
【０１１６】
基地局制御装置１００は、前述したように、起動中の各基地局２０からＵＥ測定情報と第１の負荷情報を所定の周期で受信している。そして、サービス品質の実測値として、各ＵＥ４０の測定されたスループットが第１の負荷情報には含まれている。
【０１１７】
起動基地局選択部１０１は、各ＵＥ４０の現在のサービス品質、即ちスループットが要求を満足しているか否かを判定する（Ｓ２０１）。
【０１１８】
本実施形態では、アプリケーション毎に目標とする送信レートが設定され、スループットの実測値がその要求値よりも小さいＵＥ４０が存在する場合に、サービス品質を満足していないと判定する。なお、ＶｏＩＰ（Ｖｏｉｃｅ  ｏｖｅｒ  Ｉｎｔｅｒｎｅｔ  Ｐｒｏｔｏｃｏｌ）やストリーミング等のアプリケーションは３ＧＰＰで規定するＱＣＩ （ＱｏＳ  Ｃｌａｓｓｉｆｉｅｄ  Ｉｎｄｉｃａｔｏｒ) やＳｅｒｖｉｃｅ  Ｃｌａｓｓ  Ｉｎｄｉｃａｔｏｒなどにより識別される。
【０１１９】
本実施形態では、ＵＥ４０のうちの１つでも要求値を満足していない場合にサービス品質を満足していないと判定するが、これに限ることなく、要求値を満足するＵＥ４０の数の比率を基準としてもよい。
【０１２０】
例えば、所定の満足率を設定し、サービス品質の要求値を満足するＵＥ４０の数の比率がその満足率に達しているか否かを評価するようにしてもよい。所定の満足率を９５％とした場合、９５％以上の数のＵＥ４０が要求値を満足している場合に、サービス品質を満足していると判定する。逆に、要求値を満足しているＵＥ４０の数が９５％未満の場合にはサービス品質を満足していないと判定する。これにより、壁に囲まれた室内など、セルからの受信電力が非常に弱く、基地局２０を起動させてもセルと通信ができないエリアが存在する可能性がある場合などが考慮される。
【０１２１】
また、この場合の満足率の計算は、セル毎に行ってもよいし、複数のセルからなる特定エリア単位などに行ってもよい。例えば、セル毎に行う場合は、図１０のフローの動作をセル単位で行うことになる。
【０１２２】
上述のように、ステップＳ２０１では、起動中の各基地局２０から報告を受けた第１の負荷情報に含まれるサービス品質の実測値に基づいて、各ＵＥ４０の現在のサービス品質、即ちスループットが要求を満足しているか否かを判定する。この処理は、起動基地局選択部１０１のサービス品質判定ユニット１０１１が実行する。
【０１２３】
しかし、基地局２０における直近のスループットの測定周期において送信実績のないＵＥ４０のスループットの実測値はゼロで報告される。
【０１２４】
そこで、サービス品質判定ユニット１０１１は、サービス品質計算部１０３にそのような送信実績のないＵＥ４０のスループットの推定値を計算させ、その計算結果に基づいて、サービス品質の要求値が満足しているか否かを判定するようにしてもよい。
【０１２５】
以下に、サービス品質計算部１０３が行う現在のスループットの推定値の計算について説明する。
【０１２６】
まず、特定のセルからの受信電力（希望信号電力）に対する、それ以外のセルからの受信電力（干渉電力）と熱雑音の比であるＳＩＮＲの推定値を、式（１）を用いてＵＥ４０毎に計算する。なお、ＳＩＮＲはＳｉｇｎａｌ-ｔｏ-Ｉｎｔｅｒｆｅｒｅｎｃｅ-ｐｌｕｓ-Ｎｏｉｓｅ  Ｒａｔｉｏの略称である。また、特定セルとは、対象とするＵＥ４０の接続セルを意味する。
【０１２７】
ＳＩＮＲ（ｉ）＝ＲＳＲＰ（ｉ、ｊ１）／｛（ＲＳＲＰ（ｉ、ｊ２）＊ＲＵ（ｊ２）＋ＲＳＲＰ（ｉ、ｊ３）＊ＲＵ（ｊ３）＋・・・＋ＴＮ｝  ・・・式（１）
ここで、ｉはＵＥ４０の識別番号（以下、ＩＤ）、ｊ１は特定セルのＩＤ、ｊ２、ｊ３・・・はそれ以外のセルのＩＤ、ＲＵ（ｊｘ）はセルＩＤｊｘの周波数ブロック使用率、ＴＮは熱雑音をそれぞれ表す。
【０１２８】
干渉電力は周辺セルの送信頻度に依存するので、式（１）は周波数ブロック使用率を考慮した式になっている。
【０１２９】
また、ＲＳＲＰ（ｉ、ｊ１）は、ＵＥｉがセルＩＤｊ１のセルから受信するＲＳＲＰを意味し、ＲＳＲＰ（ｉ、ｊ２）、ＲＳＲＰ（ｉ、ｊ３）は、ＵＥｉがセルＩＤｊ２のセル、セルＩＤｊ３のセルからそれぞれ受信するＲＳＲＰを意味する。
【０１３０】
以上のように、ＵＥ４０毎のＳＩＮＲの推定値が、ＵＥ測定情報に含まれるＲＳＲＰと第１の負荷情報に含まれる周波数ブロック使用率に基づいて計算される。
【０１３１】
次に、式（１）で計算した推定ＳＩＮＲを用いて、ＵＥ４０毎のスループットの１次推定値（ＵＴ_ｔｍｐｅｓｔ）をシャノンの通信容量を用いた式（２）から計算する。
【０１３２】
ＵＴ_ｔｍｐｅｓｔ（ｉ）＝（ＢＷ／Ｎｕｅ（ｊ１））×ｌｏｇ２（１＋ＳＩＮＲ（ｉ））［Ｍｂｐｓ］  ・・・式（２）
ここで、ＢＷはシステム帯域幅、Ｎｕｅ（ｊ）はＵＥｉが接続しているセルＩＤｊ１のセルにおける接続ＵＥ数をそれぞれ表す。なお、接続ＵＥ数は第１の負荷情報に含まれている。
【０１３３】
最後に、式（３）からＵＥスループットの推定値（ＵＴ_ｅｓｔ）を計算する。
【０１３４】
ＵＴ_ｅｓｔ（ｉ）＝ＵＴ_ｔｍｐｅｓｔ（ｉ）×Ｗｕｔ（ｊ１）［Ｍｂｐｓ］  ・・・式（３）
ここで、Ｗｕｔはスループットの補正係数を表す。
【０１３５】
Ｗｕｔは、スループットの実測値と推定値の誤差を補正するための係数であり、式（４）から計算する。
【０１３６】
Ｗｕｔ（ｊ１）＝{ＵＴ_ｍｅｓ（ｋ１）／ＵＴ_ｔｍｐｅｓｔ（ｋ１）＋ＵＴ_ｍｅｓ（ｋ２）／ＵＴ_ｔｍｐｅｓｔ（ｋ２）＋・・・ＵＴ_ｍｅｓ（ｋｘ）／ＵＴ_ｔｍｐｅｓｔ（ｋｘ）}／Ｎｕｅ’（ｊ１）  ・・・式（４）
ここで、ｋ１、ｋ２、・・・、ｋｘは、スループット実測値（ＵＴ_ｍｅｓ）がゼロより大きい値で報告されたＵＥ４０のＩＤであり、全部でＮｕｅ’（ｊ１）（＜＝Ｎｕｅ（ｊ１））個のＵＥ４０がある。
【０１３７】
以上に説明したように、本実施形態では、ステップＳ１０１ではスループットの実測値に基づいて要求値を満足しているか否かを判定したが、式（３）を用いて推定値を計算し、全ＵＥ４０ともこのスループットの推定値に基づいて判定してもよい。
【０１３８】
ステップＳ２０１で、全てのＵＥ４０がサービス品質を満足していれば、動作を終了する（Ｓ２０１、Ｙｅｓ）。
【０１３９】
一方、サービス品質を満足していないＵＥ４０がある場合（Ｓ２０１、Ｎｏ）、起動基地局選択部１０１は、起動すべき休止中の基地局２０の候補を選択する（Ｓ２０２）。このとき、起動基地局候補選択ユニット１０１２がその処理を実行する。
【０１４０】
この場合、サービス品質を満足していないＵＥ４０の接続セルの周辺セルを管理できる休止中の基地局２０を候補とする。周辺セルとは、サービス品質を満足していないＵＥ４０が接続しているセルに対して、信号受信レベルの差が所定値以内となるセルとしてもよいし、地理的に近接して設置されている基地局２０のセルとしてもよい。前者の場合は、起動基地局候補選択ユニット１０１２がＵＥ測定情報データベース１０４を参照できるように構成すればよい。
【０１４１】
ただし、全ての周辺基地局２０が起動中の状態であれば、起動すべき休止中の基地局２０の候補数はゼロとなり、候補は選択できない。
【０１４２】
起動基地局候補選択ユニット１０１２は、ステップ２０３で、起動すべき休止中の基地局候補である起動基地局候補が選択できたか否かを判定する。選択できた場合にはステップＳ２０４に移行し（Ｓ２０３、Ｙｅｓ）、選択できない場合には動作を終了する（Ｓ２０３、Ｎｏ）。
【０１４３】
次のステップＳ２０４からステップＳ２０８の動作は、選択した起動基地局候補毎に実行する処理である。つまり、複数の起動基地局候補を選択した場合には、各起動基地局候補に対してステップＳ２０４からステップＳ２０８の動作が繰り返される。
【０１４４】
なお、ステップＳ２０５とＳ２０６の処理は無線品質情報計算部１０２が実行し、ステップＳ２０７の処理はサービス品質計算部１０３が実行する。
【０１４５】
ステップＳ２０３で起動基地局候補が選択できた場合、起動基地局候補選択ユニット１０１２は、無線品質情報計算部１０２に、選択した候補を起動した時の各ＵＥ４０の無線品質の変化と、それに基づく各ＵＥ４０の接続セルの変化を予測させる。
【０１４６】
つまり、無線品質情報計算部１０２は、ステップＳ２０５で各ＵＥ４０のＲＳＲＰを推定し、ステップＳ２０６で、推定したＲＳＲＰに基づく各ＵＥ４０の接続セルを予測する。そして、無線品質情報計算部１０２は、起動基地局候補を起動した後の各セルに属する接続ＵＥ数を第２の負荷情報として取得する。
【０１４７】
無線品質情報計算部１０２が処理した各ＵＥ４０のＲＳＲＰの推定値、第２の負荷情報等に基づいて、起動基地局候補を起動した後の各ＵＥ４０のスループットの推定値をサービス品質計算部１０３が計算する。そして、サービス品質計算部１０３の計算結果は、起動基地局選択部１０１に報告される。
【０１４８】
まず、無線品質情報計算部１０２がステップＳ２０５で実行する、起動基地局候補である休止中の基地局２０を起動した時のＵＥ４０毎のＲＳＲＰの推定動作を説明する。
【０１４９】
無線品質情報計算部１０２は、ＵＥ４０の位置情報を用いて、対象とする候補の休止中の基地局２０を起動した時のＲＳＲＰをＵＥ４０毎に推定する。
【０１５０】
この推定には、ＵＥ測定情報データベース１０４を参照してＲＦ（Ｒａｄｉｏ  Ｆｒｅｑｕｅｎｃｙ）パターンマッチングの手法を用いる。
【０１５１】
即ち、図９に示したＵＥ測定情報データベース１０４に登録されている位置情報と無線品質情報（ＲＳＲＰ）を用いて、報告されたＵＥ４０の位置情報に最も近い位置に対応する緯度経度におけるＲＳＲＰを抽出する。
【０１５２】
このとき、ＵＥ測定情報データベース１０４のデータにおいて、休止中の基地局に対応するセルＩＤのＲＳＲＰは０として扱うが、起動した休止中の基地局に対応するセルＩＤのＲＳＲＰは、データベースの内容の強度で受信されるものとする。例えば、ＵＥ４０の位置が図９に示したＵＥ測定情報データベース１０４の２行目に示した緯度経度近辺であったとし、セルＩＤ２が休止中で、このセルＩＤ２を起動基地局候補として起動した場合を想定すると次のようになる。
【０１５３】
セルＩＤ２が休止中の時点では、ＵＥ４０がもっとも強く受信できるＲＳＲＰはセルＩＤ３からの−１００ｄＢｍである。しかし、この休止中のセルＩＤ２を起動したとすると、ＵＥ４０は−８５ｄＢｍの強度でセルＩＤ２からのＲＳＲＰを受信できるようになる。
【０１５４】
ここで、ＵＥ４０の位置情報に最も近い位置とは、ＵＥ４０から報告された位置情報の緯度経度とデータベースに登録されている緯度経度との差分の二乗和が最小となる位置とする。その他の方法としては、ＵＥ４０から報告された位置情報の緯度経度が近いデータベースの緯度経度におけるＲＳＲＰを格子点として複数選び、内挿補間でＲＳＲＰを計算してもよい。
【０１５５】
次に、無線品質情報計算部１０２は、上記のステップＳ２０５で算出した、処理対象の起動基地局候補を起動した時の各ＵＥ４０におけるＲＳＲＰの推定値を用いて、各ＵＥ４０の接続セルを予測する（Ｓ２０６）。
【０１５６】
つまり、休止中の基地局２０を起動したことによる各ＵＥ４０におけるＲＳＲＰの変化により、ハンドオーバの有無を予測する。具体的には、ＵＥｉがセルＪ１に接続しているとすると、隣接するセル間でのＲＳＲＰの強度差とそのオフセット値を用いて、次のように式（５）が成立すればＵＥｉがハンドオーバするものと想定する。
ＲＳＲＰ（ｉ、Ｊ１）−ＲＳＲＰ（ｉ、Ｊ２） ＜ Ｏｆｆｓｅｔ１（Ｊ１）−Ｏｆｆｓｅｔ２（Ｊ１、Ｊ２）  ・・・式（５）
ここで、ＲＳＲＰ（ｉ、Ｊ１）、ＲＳＲＰ（ｉ、Ｊ２）は、ＵＥｉのセルＪ１に対するＲＳＲＰとセルＪ２に対するＲＳＲＰを示し、Ｏｆｆｓｅｔ１はセルＪ１だけで設定するオフセット、Ｏｆｆｓｅｔ２はセルＪ１とセルＪ２で設定する共通のオフセットを示す。
【０１５７】
このように、起動基地局候補である休止中の基地局２０を起動したことにより、ＵＥ４０が受信している無線品質が変化し、それに伴いＵＥ４０の接続セルが変化すると、各セルに属する接続ＵＥ数が変化する。無線品質情報計算部１０２は、ＵＥ４０の接続セルの変化に基づいて起動基地局候補を起動した後の各セルに属する接続ＵＥ数を第２の負荷情報として取得する。
【０１５８】
各ＵＥ４０のＲＳＲＰの推定値と各セルの第２の負荷情報が取得されると、サービス品質計算部１０３は、対象とする起動基地局候補を起動したことによる各ＵＥ４０のスループットの推定値（ＵＴ_ｅｓｔ（ｉ）’）を計算する（Ｓ２０７）。
【０１５９】
サービス品質計算部１０３は、各ＵＥ４０のスループットの推定値を、先に説明した式（１）〜（３）を用いて計算する。
【０１６０】
なお、前述した式（１）〜（３）によるスループット計算は、現状におけるＵＥ４０のスループットの推定値であるのに対し、ここで計算するスループットは、起動基地局候補を起動したことによるＵＥ４０のスループットの推定値である。そのため、前述した式（１）〜（３）の説明と比べ、使用するパラメータの値の差分が２点ある。
【０１６１】
１点目は、起動基地局候補である休止中の基地局２０を起動したことにより、ＵＥ４０におけるＲＳＲＰが変化することである。
【０１６２】
２点目は、ＵＥ４０におけるＲＳＲＰの変化に伴いＵＥ４０の接続セルが変わり、各基地局２０における接続ＵＥ数が変化することである。この接続ＵＥ数の変化は周波数ブロック使用率の変化にもつながる。
【０１６３】
従って、起動基地局候補を起動した後の式（１）におけるＳＩＮＲの計算において、ＲＳＲＰはステップＳ２０５で無線品質情報計算部１０２が予測したＲＳＲＰを用い、周波数ブロック使用率（ＲＵ’）は以下の式（６）、（７）を用いる。
【０１６４】
ＲＵ’（ｊ）＝｛ＲＵ（ｊ）／Ｎｕｅ（ｊ）｝×Ｎｕｅ’（ｊ）  （Ｎｕｅ＞０）  ・・・式（６）
ＲＵ’（ｊ）＝｛ＲＵ（ｌ）／Ｎｕｅ（ｌ）｝×Ｎｕｅ’（ｊ）  （Ｎｕｅ＝０）  ・・・式（７）
上記の式（６）は現在接続ＵＥが存在する基地局に対して適用し、現在接続ＵＥが存在しない基地局に対しては式（７）を用いる。従って、起動した休止中の基地局２０に対しては式（７）を用いることになる。
【０１６５】
なお、「ｌ」はセルＩＤｊ以外のセルを表し、接続ＵＥが存在する任意のセルＩＤを用いるものとする。
【０１６６】
また、現在接続ＵＥが存在しない基地局に関しては、式（７）の代わりに、例えば、起動した休止中の基地局２０の周辺基地局のＲＵとＮｕｅの平均値（パラメータ名に_ａｖｅを追加）を用いた式（８）を用いてもよい。
【０１６７】
ＲＵ’（ｊ）＝｛ＲＵ_ａｖｅ／Ｎｕｅ_ａｖｅ｝×Ｎｕｅ’（ｊ）  （Ｎ_ｕｅ＝０）  ・・・式（８）
なお、上記において、ＲＵ（ｊ）およびＮｕｅ（ｊ）は第１の負荷情報に含まれる、セルＩＤｊのセルにおける周波数ブロック使用率および接続ＵＥ数をそれぞれ示す。そして、Ｎｕｅ’（ｊ）は第２の負荷情報である起動基地局候補を起動した後のセルＩＤｊのセルにおける接続ＵＥ数を示す。
【０１６８】
また、式（２）におけるＵＥ４０のスループットの１次推定値（ＵＴ_ｔｍｐｅｓｔ）の計算におけるＮｕｅ（ｊ）も起動基地局候補を起動した後のセルＩＤｊのセルにおける接続ＵＥ数（Ｎｕｅ’（ｊ））を用いる。
【０１６９】
第２の負荷情報である起動基地局候補を起動した後のセルＩＤｊのセルにおける接続ＵＥ数（Ｎｕｅ’（ｊ））は、前述したように、ステップＳ２０６による各ＵＥ４０の接続セル予測により得られる。
【０１７０】
ステップＳ２０２で選択した起動基地局候補をそれぞれ起動した場合の各ＵＥ４０のスループット推定値の計算が、選択したすべての候補に対して終了すると（Ｓ２０４乃至Ｓ２０８のループ）、起動基地局選択部１０１は、起動すべき基地局を選択する。
【０１７１】
ここで、起動基地局選択部１０１は、選択した起動基地局候補をそれぞれ起動した場合のスループット推定値の最小値を比較し、その最小値が最大となる起動基地局候補を起動すべき休止中の基地局２０として選択する（Ｓ２０９）。
【０１７２】
そして、起動基地局選択部１０１は、選択した基地局に起動指示を通知する（Ｓ２１０）。なお、ステップＳ２０９およびＳ２１０の処理は、基地局起動通知ユニット１０１３が実行する。
【０１７３】
以上に、図１０を参照して本実施形態の基地局制御装置１００の動作を説明した。
【０１７４】
本実施形態では、サービス品質としてスループットを用いたが、遅延時間をサービス品質として用いてもよい。ＶｏＩＰや動画などのアプリケーションでは、一定間隔で送信が完了することが求められる。あるいは、スループットと遅延時間を各々正規化した上で、和や積を計算したものをサービス品質の指標として新たに定義してもよい。
【０１７５】
また、本実施形態では、基地局２０からの所定の周期で報告されるＵＥ測定情報と第１の負荷情報の受信タイミングで図１０の動作を実行した。しかし、新規ＵＥやハンドオーバＵＥの接続等により基地局２０の負荷が変化した場合に直ちに実行するようにしてもよい。
【０１７６】
さらに、本実施形態では、ＵＥ測定情報データベース１０４が示す位置情報とその位置に対応する各セルのＲＳＲＰを用いて休止中の基地局を起動したときのＲＳＲＰを推定した。これを、休止基地局を含む４点以上のＲＳＲＰのみのデータベースを用いて、３点測量の手法でＲＳＲＰを推定するようにしてもよい。
【０１７７】
なお、本実施形態の動作を以下のように変形させた動作や図１１に示すような変形例の動作を用いてもよい。
【０１７８】
図１０に説明した動作では、ステップＳ２０４乃至Ｓ２０８のループ処理により、すべての候補に対する計算が終了した後に、ステップＳ２０９において、スループット推定値の最小値が最大となる基地局を選択するように動作した。しかし、処理時間短縮のために、スループット推定値が要求基準を満足できる起動基地局候補が判明した場合に、直ちに当該候補の基地局を起動基地局として選択してもよい。
【０１７９】
つまり、ステップＳ２０５乃至Ｓ２０７の処理を実施した際に、候補毎にその候補を起動した場合のスループット推定値が要求基準を満足できるか否かを判定し、満足する場合には直ちに当該候補の基地局２０を起動基地局として選択してもよい。
【０１８０】
図１０に説明した動作は、周期的に１回実施することで、サービス品質の満足度の維持、向上を目指している。しかし、図１１に示すようにステップ２１０の後、再びステップ２０１に戻るように動作させてもよい。
【０１８１】
つまり、選択した起動基地局に起動指示を通知した後、再びステップ２０１に戻り、スループットが要求を満足するまで、或いは、起動する基地局の候補が選択できなくなるまで、動作を繰り返すようにしてもよい。
【０１８２】
次に、本実施形態の基地局２０の動作について図１２を参照して説明する。
【０１８３】
図１２は、基地局２０の起動制御手段２０２による該基地局の起動及び休止の動作を示すフロー図である。この動作は所定の周期で実行される。
【０１８４】
起動制御手段２０２は、当該基地局が現在休止中か否かを判定する（Ｓ３０１）。
【０１８５】
休止中の場合には（Ｓ３０１、Ｙｅｓ）、基地局制御装置１００から起動指示の通知を受信したか否かを判定する（Ｓ３０２）。
【０１８６】
基地局制御装置１００から起動指示の通知を受信した場合には（Ｓ３０２、Ｙｅｓ）、起動制御手段２０２は当該基地局を起動する（Ｓ３０３）。例えば、パワーアンプ（Ｐｏｗｅｒ  Ａｍｐｌｉｆｉｅｒ）を休止させている場合は、パワーアンプをアクティブな状態にする。或いは、特定の回路の電圧が落ちている場合には、通常動作時の電圧を確保できるように設定する。
【０１８７】
一方、基地局制御装置１００から起動指示の通知を受信していない場合には、（Ｓ３０２、Ｎｏ）、動作を終了する。
【０１８８】
ステップＳ３０１の判定で当該基地局が休止中でない場合には（Ｓ３０１、Ｎｏ）、起動制御手段２０２は接続中のＵＥ４０の有無を判定する（Ｓ３０４）。
【０１８９】
当該基地局に接続中のＵＥ４０が存在しない場合には（Ｓ３０４、Ｙｅｓ）、起動制御手段２０２は当該基地局を休止状態にする（Ｓ３０５）。接続中のＵＥ４０が存在する場合には（Ｓ３０４、Ｎｏ）、動作を終了する。
【０１９０】
本実施形態では、起動または休止させる基地局のタイプは制限しなかった。送信電力が小さく通信エリアの狭いスモールセル基地局は容量対策に設置されることが多く、送信電力が大きく通信エリアの広いマクロセル基地局は通信エリアの確保のため（カバレッジ対策）で設置されることが多い。そのため、起動または休止の対象とする基地局をスモールセル基地局に限定してもよい。
【０１９１】
以上、第２の実施形態について説明した。
【０１９２】
以上に説明したように、本実施形態は、サービス品質を満足していないＵＥ４０がある場合に、休止中の基地局２０を起動した場合の各ＵＥ４０におけるサービス品質推定値を計算して、休止中の基地局２０のいずれを起動すべきかを判断することができる。そのため、サービス品質に基づくユーザ体感を考慮して最適な休止中基地局を起動することができ、不必要な消費電力の増加を防ぐことができる。
【０１９３】
また、本実施形態によれば、選択した起動基地局候補から起動すべき基地局を選択する際に、それぞれを起動した場合のスループット推定値の最小値を比較し、その最小値が最大となる基地局を起動基地局として選択する。そのため、ユーザ体感をより向上させることができる最適な休止中基地局２０を起動することができる。
【０１９４】
次に第３の実施形態を説明する。
【０１９５】
第２の実施形態では、起動する休止中の基地局２０を１局としたが、本実施形態では複数の休止中の基地局２０を起動することができる。なお、本実施形態では、同時に起動指示を通知して起動できる基地局２０の最大数を３局と仮定する。
【０１９６】
第３の実施形態の移動通信システム、基地局制御装置および基地局の構成は、図７、８および３をそれぞれ参照して説明した第２の実施形態の移動通信システム２、基地局制御装置１００および基地局２０と同じである。したがって、第３の実施形態のそれらの構成の説明は省略する。また、第３の実施形態の基地局２０の起動制御手段２０２による基地局の起動及び休止の動作は第２の実施形態と同じなので、基地局２０の動作説明も省略する。さらに、第３の実施形態の説明に使用する参照符号も第２の実施形態と同じ参照符号を使用するものとする。
【０１９７】
第３の実施形態の基地局制御装置１００の動作を説明する。
【０１９８】
図１３は、第３の実施形態の基地局制御装置１００の動作を示すフロー図である。
【０１９９】
図１３において、図１０を参照して説明した第２の実施形態の基地局制御装置１００の動作と相違する点は次の２か所である。
【０２００】
まず、図１０のステップＳ２０２が図１３のステップＳ２２１に変更された。そして、図１０のステップＳ２０８とステップＳ２０９の間に、新たにステップＳ２２２とステップＳ２２３が追加された。
【０２０１】
図１３のフローの処理を実行することにより、基地局制御装置１００は起動すべき基地局２０を複数局選択する制御動作を実行する。そして、第２の実施形態と同様に、基地局制御装置１００は、本動作を所定周期で実行する。また、本実施形態では、基地局２０からの所定の周期で報告されるＵＥ測定情報と第１の負荷情報の受信タイミングで、本動作を実行するが、第２の実施形態でも言及したようにそれに限られることはない。
【０２０２】
起動基地局選択部１０１は、各基地局２０から所定の周期で受信しているＵＥ測定情報と第１の負荷情報を参照して、各ＵＥ４０の現在のサービス品質、即ちアプリケーション毎のスループットが要求を満足しているか否かを判定する。この動作は、図１０を参照して説明したステップＳ２０１の動作のとおりである。そして、この処理は、起動基地局選択部１０１のサービス品質判定ユニット１０１１が実行する。
【０２０３】
ステップＳ２０１でサービス品質を満足していないＵＥ４０があると判定した場合（Ｓ２０１、Ｎｏ）、起動基地局選択部１０１は、起動すべき休止中の基地局２０の組み合わせの候補である起動基地局組み合わせ候補を選択する（Ｓ２２１）。このとき、起動基地局候補選択ユニット１０１２がその処理を実行する。
【０２０４】
この場合、サービス品質を満足していないＵＥ４０の接続セルの周辺セルを管理できる休止中の基地局２０の複数局を組み合わせの対象とする。周辺セルとは、サービス品質を満足していないＵＥ４０が接続しているセルに対して、信号受信レベルの差が所定値以内となるセルとしてもよいし、地理的に近接して設置されている基地局２０のセルとしてもよい。前者の場合は、起動基地局候補選択ユニット１０１２がＵＥ測定情報データベース１０４を参照できるように構成すればよい。
【０２０５】
例えば、周辺セルとして、休止中の基地局２０がＮ１１、Ｎ１２、Ｎ１３、Ｎ１４の４局あるとすると、起動基地局組み合わせ候補として以下の４＋６＋４＝１４通りの候補を選択する。
【０２０６】
１局のみの組み合わせとした場合、（Ｎ１１）、（Ｎ１２）、（Ｎ１３）、（Ｎ１４）の４通りの候補がある。２局の組み合わせとした場合、（Ｎ１１、Ｎ１２）、（Ｎ１１、Ｎ１３）、（Ｎ１１、Ｎ１４）、（Ｎ１２、Ｎ１３）、（Ｎ１２、Ｎ１４）、（Ｎ１３、Ｎ１４）の６通りの候補がある。そして、３局の組み合わせとした場合、（Ｎ１１、Ｎ１２、Ｎ１３）、（Ｎ１１、Ｎ１２、Ｎ１４）、（Ｎ１１、Ｎ１３、Ｎ１４）、（Ｎ１２、Ｎ１３、Ｎ１４）の４通りの候補がある。
【０２０７】
ただし、全ての基地局２０が起動中の状態であれば、起動基地局組み合わせ候補の候補数はゼロとなり、候補は選択できないので、起動基地局候補選択ユニット１０１２は、ステップ２０３で動作を終了する（Ｓ２０３、Ｎｏ）。
【０２０８】
一方、上述したような起動基地局組み合わせ候補が選択できた場合（Ｓ２０３、Ｙｅｓ）、ステップＳ２０４に移行し、ステップＳ２０４からＳ２０８の動作が起動基地局組み合わせ候補のそれぞれに対して繰り返される。
【０２０９】
なお、図１０を参照して説明したように、ステップＳ２０５とＳ２０６の処理は無線品質情報計算部１０２が実行し、ステップＳ２０７の処理はサービス品質計算部１０３が実行する。
【０２１０】
また、ステップＳ２０５乃至Ｓ２０７の処理は、図１０を参照して第２の実施形態で説明したとおりなので、詳細説明は省略する。相違点は、起動基地局組み合わせ候補には起動すべき休止中の基地局候補が複数含まれ得るということである。
【０２１１】
起動基地局組み合わせ候補が選択できると、起動基地局候補選択ユニット１０１２は、無線品質情報計算部１０２に、その組み合わせに含まれる基地局２０を起動した時のＵＥ４０毎の無線品質の変化と、それに基づく各ＵＥ４０の接続セルの変化を予測させる。
【０２１２】
つまり、無線品質情報計算部１０２は、ステップＳ２０５で各ＵＥ４０のＲＳＲＰを推定し、ステップＳ２０６で、推定したＲＳＲＰに基づく各ＵＥ４０の接続セルを予測する。そして、無線品質情報計算部１０２は、起動基地局組み合わせ候補に含まれる基地局２０を起動した後の各セルに属する接続ＵＥ数を第２の負荷情報として取得する。
【０２１３】
無線品質情報計算部１０２が処理した各ＵＥ４０のＲＳＲＰの推定値、第２の負荷情報等に基づいて、起動基地局組み合わせ候補に含まれる基地局２０を起動した後の各ＵＥ４０のスループットの推定値をサービス品質計算部１０３が計算する。そして、サービス品質計算部１０３の計算結果は、起動基地局選択部１０１に報告される。
【０２１４】
上記処理（Ｓ２０４乃至Ｓ２０８のループ）がステップＳ２２１で選択した起動基地局組み合わせ候補のすべての候補に対して終了すると、実際に起動する起動基地局組み合わせ候補が選択される。この処理は、起動基地局選択部１０１の基地局起動通知ユニット１０１３により実行される。
【０２１５】
まず、ステップＳ２２２において、基地局起動通知ユニット１０１３は、組み合わせに含まれる基地局２０を起動することでスループット推定値が要求を満足するようになる起動基地局組み合わせ候補があるか否かを判定する。
【０２１６】
そのような起動基地局組み合わせ候補がある場合（Ｓ２２２、Ｙｅｓ）、基地局起動通知ユニット１０１３は、組み合わせに含まれる基地局数が最小となる起動基地局組み合わせ候補に絞り込みを行う（Ｓ２２３）。
【０２１７】
例えば、（Ｎ１１、Ｎ１２）、（Ｎ１２、Ｎ１４）、（Ｎ１１、Ｎ１３、Ｎ１４）の３つの起動基地局組み合わせ候補が、それぞれの組み合わせに含まれる基地局２０を起動することでスループット推定値が要求を満足する候補であると判定されたと仮定する。
【０２１８】
この場合、起動する基地局数の少ない（Ｎ１１、Ｎ１２）と（Ｎ１２、Ｎ１４）の２つの起動基地局組み合わせ候補に絞り込まれる。つまり、消費電力がより少なくて済む起動基地局組み合わせ候補に絞り込まれる。
【０２１９】
そして、基地局起動通知ユニット１０１３は、絞り込まれた起動基地局組み合わせ候補に対し、それぞれの組み合わせに含まれる基地局２０を起動した場合のスループット推定値の最小値を比較し、その最小値が最大となる候補を選択する（Ｓ２０９）。
【０２２０】
そして、基地局起動通知ユニット１０１３は、選択した起動基地局組み合わせ候補に含まれる基地局２０に起動指示を通知する（Ｓ２１０）。つまり、選択された起動基地局組み合わせ候補が複数の休止中の基地局２０で構成されている場合には、その複数の休止中の基地局２０を同時に起動することになる。
【０２２１】
なお、ステップＳ２２２の判定で、組み合わせに含まれる基地局２０を起動してもスループット推定値が要求を満足するようになる候補が存在しない場合には（Ｓ２２２、Ｎｏ）、基地局起動通知ユニット１０１３は、処理をステップＳ２０９に移行する。つまり、サービス品質を満足することはできないが、スループット推定値の最小値が最大となる起動基地局組み合わせ候補に含まれる基地局を起動することで、オフローディングが実施され、少しでもスループットが改善されることが期待される。
【０２２２】
以上、第３の実施形態について説明した。
【０２２３】
以上に説明したように、本実施形態は、サービス品質を満足していないＵＥ４０がある場合に、休止中の基地局２０を起動した場合の各ＵＥ４０におけるサービス品質推定値を計算して、休止中の基地局２０のいずれを起動すべきかを判断することができる。そのため、サービス品質に基づくユーザ体感を考慮して最適な休止中基地局を起動することができ、不必要な消費電力の増加を防ぐことができる。
【０２２４】
また、本実施形態によれば、起動基地局組み合わせ候補を選択する際に、起動する基地局数が最小となる組み合わせの候補を選択する。そのため、基地局を起動するとしても消費電力をより少なくすることができる。
【０２２５】
さらに、本実施形態によれば、起動基地局組み合わせ候補を選択する際に、それぞれの組み合わせに含まれる基地局を起動した場合のスループット推定値の最小値を比較し、その最小値が最大となる候補を選択する。そのため、ユーザ体感をより向上させることができる最適な組み合わせの休止中基地局２０を起動することができる。
【０２２６】
次に第４の実施形態を説明する。
【０２２７】
上述した各実施形態では、基地局制御装置がサービス品質を満足していないＵＥの有無を判定し、サービス品質を満足していないＵＥがある場合に、ユーザ体感を考慮して最適な休止中基地局を起動するように構成した。しかし、基地局制御装置の代わりに基地局がこれらの制御を実行するように構成してもかまわない。
【０２２８】
図１４は、このような第４の実施形態の移動通信システムの構成を示すブロック図である。
【０２２９】
図１４を参照すると、本実施形態の移動通信システム３は、主基地局２１、副基地局２２−１乃至２２−３およびユーザ端末（ＵＥ）４０−１、４０−２を含んで構成される。
【０２３０】
主基地局２１はマクロ基地局であり、セル３１を形成し、その中のトラヒック需要が多い地域にスポット的にスモール基地局として副基地局２２−１乃至２２−３が配置されている。つまり、副基地局２２−１乃至２２−３が形成するセル３２−１乃至３２−３はセル３１に包含される形態となっている。
【０２３１】
ここで、実線で示す副基地局２２−１は起動中であり、点線で示す副基地局２２−２、２２−３は休止中であるものとする。
【０２３２】
主基地局２１および起動中の副基地局２２−１は、セル３１、セル３２−１をそれぞれ管理し、自セルを接続セルとするＵＥ４０−１や４０−２との間で双方向の通信を行う。また、主基地局２１および起動中の副基地局２２−１は、ＵＥ４０−１や４０−２からＵＥ測定情報を取得するとともに自セルの負荷を測定する。
【０２３３】
主基地局２１および起動中の副基地局２２−１は、コアネットワークなど上位ネットワークに接続されており、ＵＥ４０−１や４０−２と上位ネットワーク間のトラヒック通信を中継する。
【０２３４】
主基地局２１および副基地局２２−１乃至２２−３は、それぞれが通信回線で接続されており、相互の情報の伝達が可能に構成されている（例えば、ＬＴＥのＸ２インタフェース）。そして、上述した各実施形態の基地局制御装置が備えた、ユーザ体感を考慮して最適な休止中基地局を起動する構成を主基地局２１に備える。
【０２３５】
つまり、主基地局２１は、セル３１を接続セルとするＵＥ４０−１のサービス品質の実測値を含む該主基地局２１の第１の負荷情報とＵＥ４０−１が報告するＵＥ測定情報を管理する。また、主基地局２１は、起動中の副基地局２２−１から該副基地局２２−１の第１の負荷情報とＵＥ測定情報を取得する。そして、主基地局２１は、これらの管理情報および取得情報に基づいて、休止中の副基地局２２−２、２２−３の起動制御を実施する。
【０２３６】
図１５は、第４の実施形態の主基地局２１の構成を示すブロック図である。
【０２３７】
第４の実施形態の主基地局２１の構成は、図８を参照して説明した基地局制御装置１００が備える構成と同じである。なお、主基地局２１は図３を参照して説明した基地局２０が備える基地局動作手段２０１も備えるが、図示は省略する。
【０２３８】
つまり、第４の実施形態の主基地局２１は、起動基地局選択部２１１、無線品質情報計算部２１２、サービス品質計算部２１３およびＵＥ測定情報データベース２１４を含む構成になっている。また、起動基地局選択部２１１は、サービス品質判定ユニット２１１１、起動基地局候補選択ユニット２１１２および基地局起動通知ユニット２１１３を含む。
【０２３９】
なお、図示しない基地局動作手段２０１は、該主基地局２１が管理するセル３１を接続セルとするＵＥ４０のサービス品質の実測値を含む該主基地局２１の第１の負荷情報と、ＵＥ４０が報告するＵＥ測定情報を収集する。ここで、第１の負荷情報およびＵＥ測定情報は第２の実施形態で説明したものと同じである。
【０２４０】
各構成が有する機能は、第２の実施形態で説明した機能とほぼ同じなので、以下に概略を説明するに留める。
【０２４１】
起動基地局選択部２１１のサービス品質判定ユニット２１１１は、当該主基地局２１の第１の負荷情報と、セル３１を接続セルとするＵＥ４０から報告されるＵＥ測定情報を管理している。さらに、サービス品質判定ユニット２１１１は、起動中の副基地局２２の第１の負荷情報と、該副基地局２２を接続セルとするＵＥ４０が該副基地局２２に報告したＵＥ測定情報を受信し、所定のサービス品質を満足していないＵＥ４０の有無を判定する。なお、第１の負荷情報には各ＵＥ４０のサービス品質の実測値が含まれ、ＵＥ測定情報には、報告してきたＵＥ４０の位置情報と該位置で測定される各セルの無線品質情報が含まれる。
【０２４２】
サービス品質を満足していないＵＥ４０が有ると、起動基地局選択部２１１の起動基地局候補選択ユニット２１１２は、サービス品質を満足していないＵＥ４０の接続セルの周辺セルを管理できる休止中の副基地局２２を、起動基地局候補として選択する。
【０２４３】
無線品質情報計算部２１２は、起動基地局候補を起動した場合に各ＵＥ４０で測定される各セルの無線品質情報を推定無線品質情報として推定し、該推定無線品質情報に基づいて、起動基地局候補を起動した後の各ＵＥ４０の接続セルを予測する。そして、無線品質情報計算部２１２は、起動基地局候補を起動した後の各セルに属する接続ＵＥ数を第２の負荷情報として取得する。
【０２４４】
サービス品質計算部２１３は、推定無線品質情報、第１の負荷情報および第２の負荷情報に基づいて、起動基地局候補を起動した後の各ＵＥ４０のサービス品質の推定値をサービス品質推定値として計算する。
【０２４５】
起動基地局選択部２１１の基地局起動通知ユニット２１１３は、起動基地局候補のいずれかを、サービス品質推定値に基づいて、起動基地局として選択し、選択した副基地局２２に、休止中から起動状態に移行させる起動指示を通知する。
【０２４６】
無線品質情報計算部２１２による、ＵＥ測定情報データベース２１４を参照した推定無線品質情報の推定や予測接続セルの予測は、第２の実施形態で説明した内容と同じである。
【０２４７】
サービス品質計算部２１３による、サービス品質推定値の計算も第２の実施形態で説明した内容と同じである。また、第２の実施形態と同様に、サービス品質判定ユニット２１１１は、サービス品質計算部２１３が計算した現在の各ＵＥ４０のサービス品質推定値に基づいて、所定のサービス品質を満足していないＵＥ４０の有無を判定してもかまわない。
【０２４８】
以上が、第４の実施形態の主基地局２１の構成である。
【０２４９】
そして、主基地局２１は、図１０、１１および１３を参照して説明した動作と同じ動作を実行する。つまり、主基地局２１は、サービス品質を満足していないＵＥ４０の有無を判定し、サービス品質を満足していないＵＥ４０がある場合には、ユーザ体感を考慮して最適な休止中基地局を起動する制御を行う。
【０２５０】
第４の実施形態の副基地局２２の構成は、図３を参照して説明した第１の実施形態の基地局２０の構成と同じなので図示を省略する。
【０２５１】
つまり、副基地局２２は、基地局動作手段２０１と、起動制御手段２０２を含む構成となっている。
【０２５２】
基地局動作手段２０１は、該副基地局２２が管理するセル３２を接続セルとするＵＥ４０のサービス品質の実測値を含む該副基地局２２の第１の負荷情報と、ＵＥ４０が報告するＵＥ測定情報を主基地局２１に報告する。
【０２５３】
起動制御手段２０２は、主基地局２１から起動指示の通知を受信すると、休止中の所定の装置動作を起動する。
【０２５４】
副基地局２２は、図１２を参照して説明した動作を実行する。
【０２５５】
以上、第４の実施形態について説明した。
【０２５６】
以上に説明したように、本実施形態も、サービス品質を満足していないＵＥ４０がある場合に、休止中の副基地局２２を起動した場合の各ＵＥ４０におけるサービス品質推定値を計算して、休止中の副基地局２２のいずれを起動すべきかを判断することができる。そのため、サービス品質に基づくユーザ体感を考慮して最適な休止中基地局を起動することができ、不必要な消費電力の増加を防ぐことができる。
【０２５７】
さらに、本実施形態においても、消費電力をより少なくして副基地局２２を起動することができ、ユーザ体感をより向上させることができる最適な組み合わせの休止中副基地局２２を起動することができる。
【０２５８】
なお、第２の実施形態以降に説明した基地局制御装置１００や主基地局２１のハードウェア構成は、図５を参照して説明したブロック図と同様の構成を備える。
【０２５９】
基地局制御装置１００や主基地局２１は、その動作を、基地局制御装置１００や主基地局２１の内部に各機能を実現するプログラムを組み込んだＬＳＩ（Large Scale Integration）等のハードウェア部品からなる回路部品を実装して実現してもよい。
【０２６０】
また、基地局制御装置１００や主基地局２１は、各構成要素の各機能を提供するプログラムを、コンピュータ処理装置上のＣＰＵで実行することにより、ソフトウェア的に実現してもよい。そして、各実施形態のプログラムは、コンピュータを、上述した各実施形態における各機能部として機能させるためのプログラムであり、例えば、図６を参照して説明した機能手段と同じ構成の機能手段を実現する。
【０２６１】
また、それらのプログラムがシステム或いは遠隔から供給されて、基地局制御装置１００や主基地局２１が各実施形態で説明した動作手順の処理を実行する実施形態であってもかまわない。
【０２６２】
そして、それらのプログラムを格納した媒体、及びそのプログラムをダウンロードさせるサーバも、本発明の範疇に含まれる。
【０２６３】
なお、上記の実施形態の一部または全部は、以下の付記のようにも記載されうるが、以下には限られない。
（付記１）  所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信し、所定のサービス品質を満足していない前記ユーザ端末があると、前記サービス品質を満足していない前記ユーザ端末の接続セルの周辺セルを管理できる休止中の基地局を、起動基地局候補として選択する起動基地局選択手段と、
前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得する無線品質情報計算手段と、
前記推定無線品質情報、前記第１の負荷情報および前記第２の負荷情報に基づいて、前記起動基地局候補を起動した後の前記ユーザ端末のサービス品質の推定値をサービス品質推定値として計算するサービス品質計算手段と、
を備え、
前記起動基地局選択手段は、前記サービス品質推定値に基づいて、前記起動基地局候補のいずれかを起動すべき基地局として選択し、選択した該基地局に、休止中から起動状態に移行させる起動指示を通知する
ことを特徴とする基地局制御装置。
（付記２）  前記起動基地局選択手段は、前記起動基地局候補をそれぞれ起動した場合の前記サービス品質推定値を比較し、前記サービス品質推定値の最小値が最大となる前記起動基地局候補を起動すべき基地局として選択することを特徴とする付記１に記載の基地局制御装置。
（付記３）  前記起動基地局選択手段は、前記サービス品質を満足していない前記ユーザ端末の接続セルの周辺セルを管理できる休止中の複数の基地局のすべての組み合わせを、起動基地局組み合わせ候補として選択し、
前記無線品質情報計算手段は、前記起動基地局組み合わせ候補に含まれる基地局を起動した場合の前記推定無線品質情報を推定し、該推定無線品質情報に基づいて前記ユーザ端末の接続セルの変化を予測して、前記起動基地局組み合わせ候補に含まれる基地局を起動した後の起動中の基地局のそれぞれの第２の負荷情報を取得し、
前記サービス品質計算手段は、前記推定無線品質情報、前記第１の負荷情報および前記第２の負荷情報に基づいて、前記起動基地局組み合わせ候補に含まれる基地局を起動した後の前記サービス品質推定値を計算し、
前記起動基地局選択手段は、前記起動基地局組み合わせ候補をそれぞれ起動した場合の前記サービス品質推定値を比較し、前記サービス品質推定値を満足し、かつ起動する基地局数が最小となる起動基地局組み合わせ候補を選択し、選択した該起動基地局組み合わせ候補に含まれるすべての基地局に前記起動指示を通知する
ことを特徴とする付記１に記載の基地局制御装置。
（付記４）  前記無線品質情報計算手段は、前記ＵＥ測定情報と、位置情報と該位置で測定される各セルの無線品質情報を対応させて予め登録してあるデータベースと、を参照して前記推定無線品質情報を推定し、該推定無線品質情報に基づいて前記ユーザ端末のハンドオーバの有無を判定して前記ユーザ端末の接続セルの変化を予測することを特徴とする付記１乃至付記３のいずれかの付記に記載の基地局制御装置。
（付記５）  前記サービス品質は、前記基地局が測定した前記ユーザ端末のスループットまたは送信遅延時間であることを特徴とする付記１乃至付記４のいずれかの付記に記載の基地局制御装置。
（付記６）  前記第１の負荷情報は、前記基地局が測定した、該接続セルに接続する前記ユーザ端末のスループット、該接続セルに接続するユーザ端末数、および周波数ブロック（Ｒｅｓｏｕｒｃｅ  Ｂｌｏｃｋ）使用率を含み、
前記サービス品質計算手段は、前記ＵＥ測定情報と前記第１の負荷情報をパラメータとして前記ユーザ端末の現時点におけるスループット推定値を計算し、前記起動基地局選択手段は、前記サービス品質計算手段による該計算結果を用いて所定のサービス品質を満足していない前記ユーザ端末の有無を判定することを特徴とする付記１乃至付記４のいずれかの付記に記載の基地局制御装置。
（付記７）  前記第２の負荷情報は、前記起動基地局候補を起動した後の前記ユーザ端末の接続セルの変化に伴う起動中の基地局のそれぞれに接続するユーザ端末数であって、
前記サービス品質計算手段は、前記推定無線品質情報と、前記第１の負荷情報が含む接続セルに接続するユーザ端末数、前記第２の負荷情報、および前記周波数ブロック使用率をパラメータとして、前記起動基地局候補を起動した後の前記ユーザ端末の前記サービス品質推定値を計算することを特徴とする付記６に記載の基地局制御装置。
（付記８）  前記起動基地局選択手段は、所定周期、またはユーザ端末数の変化により前記接続セルの負荷が変化したこと、を契機に所定のサービス品質を満足していない前記ユーザ端末の有無を判定することを特徴とする付記１乃至付記７のいずれかの付記に記載の基地局制御装置。
（付記９）  所定のエリア内に配備された複数の基地局と、複数の前記基地局を制御する基地局制御装置を備え、
前記基地局制御装置は、付記１乃至付記８のいずれかの付記に記載の基地局制御装置であって、
複数の前記基地局のそれぞれは、
該基地局が管理するセルを接続セルとするユーザ端末のサービス品質の実測値を含む該基地局の第１の負荷情報と、該ユーザ端末が報告する、位置情報と該位置で測定される各セルの無線品質情報を含むＵＥ（Ｕｓｅｒ  Ｅｑｕｉｐｍｅｎｔ）測定情報を前記基地局制御装置に報告する基地局動作手段と、
前記基地局制御装置から前記起動指示の通知を受信すると、休止中の所定の装置動作を起動する起動制御手段と
を含むことを特徴とする移動通信システム。
（付記１０）  所定のエリア内に配備された第１の基地局と複数の第２の基地局を備え、
前記第１の基地局は、
該第１の基地局が管理するセルを接続セルとするユーザ端末のサービス品質の実測値を含む該第１の基地局の負荷情報および前記第２の基地局が管理するセルを接続セルとするユーザ端末のサービス品質の実測値を含む該第２の基地局の負荷情報である第１の負荷情報と、該第１の基地局に報告された、ユーザ端末の位置情報と該位置で測定される各セルの無線品質情報を含むＵＥ（Ｕｓｅｒ  Ｅｑｕｉｐｍｅｎｔ）測定情報と前記第２の基地局に報告された前記ＵＥ測定情報を管理し、所定のサービス品質を満足していない前記ユーザ端末の有無を判定するサービス品質判定手段と、
前記サービス品質を満足していない前記ユーザ端末が有ることを前記サービス品質判定手段が判定した場合、前記サービス品質を満足していない前記ユーザ端末の接続セルの周辺セルを管理できる休止中の第２の基地局を、起動基地局候補として選択する起動基地局候補選択手段と、
前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得する無線品質情報計算手段と、
前記推定無線品質情報、前記第１の負荷情報および前記第２の負荷情報に基づいて、前記起動基地局候補を起動した後の前記ユーザ端末のサービス品質の推定値をサービス品質推定値として計算するサービス品質計算手段と、
前記起動基地局候補のいずれかを、前記サービス品質推定値に基づいて、起動すべき基地局として選択し、選択した該第２の基地局に、休止中から起動状態に移行させる起動指示を通知する基地局起動通知手段と
を備え
複数の前記第２の基地局のそれぞれは、
該第２の基地局が管理するセルを接続セルとするユーザ端末のサービス品質の実測値を含む該第２の基地局の前記第１の負荷情報と該ユーザ端末が報告する前記ＵＥ測定情報を前記第１の基地局に報告する基地局動作手段と、
前記第１の基地局から前記起動指示の通知を受信すると、休止中の所定の装置動作を起動する起動制御手段と
を含むことを特徴とする移動通信システム。
（付記１１）  前記基地局起動通知手段は、前記起動基地局候補をそれぞれ起動した場合の前記サービス品質推定値を比較し、前記サービス品質推定値の最小値が最大となる前記起動基地局候補を起動すべき第２の基地局として選択することを特徴とする付記１０に記載の移動通信システム。
（付記１２）  前記起動基地局候補選択手段は、前記サービス品質を満足していない前記ユーザ端末の接続セルの周辺セルを管理できる休止中の複数の前記第２の基地局のすべての組み合わせを、起動基地局組み合わせ候補として選択し、
前記無線品質情報計算手段は、前記起動基地局組み合わせ候補に含まれる第２の基地局を起動した場合の前記推定無線品質情報を推定し、該推定無線品質情報に基づいて前記ユーザ端末の接続セルの変化を予測して、前記起動基地局組み合わせ候補に含まれる第２の基地局を起動した後の前記第１の基地局および起動中の第２の基地局のそれぞれの第２の負荷情報を取得し、
前記サービス品質計算手段は、前記推定無線品質情報、前記第１の負荷情報および前記第２の負荷情報に基づいて、前記起動基地局組み合わせ候補に含まれる第２の基地局を起動した後の前記サービス品質推定値を計算し、
前記基地局起動通知手段は、前記起動基地局組み合わせ候補をそれぞれ起動した場合の前記サービス品質推定値を比較し、前記サービス品質推定値を満足し、かつ起動する第２の基地局数が最小となる起動基地局組み合わせ候補を選択し、選択した該起動基地局組み合わせ候補に含まれるすべての第２の基地局に前記起動指示を通知する
ことを特徴とする付記１０に記載の移動通信システム。
（付記１３）  前記無線品質情報計算手段は、前記ＵＥ測定情報と、位置情報と該位置で測定される各セルの無線品質情報を対応させて予め登録してあるデータベースと、を参照して前記推定無線品質情報を推定し、該推定無線品質情報に基づいて前記ユーザ端末のハンドオーバの有無を判定して前記ユーザ端末の接続セルの変化を予測することを特徴とする付記１０乃至付記１２のいずれかの付記に記載の移動通信システム。
（付記１４）  前記サービス品質は、前記ユーザ端末のスループットまたは送信遅延時間であることを特徴とする付記１０乃至付記１３のいずれかの付記に記載の移動通信システム。
（付記１５）  前記第１の負荷情報は、前記接続セルに接続する前記ユーザ端末のスループット、該接続セルに接続するユーザ端末数、および周波数ブロック（Ｒｅｓｏｕｒｃｅ  Ｂｌｏｃｋ）使用率を含み、
前記サービス品質計算手段は、前記ＵＥ測定情報と前記第１の負荷情報をパラメータとして前記ユーザ端末の現時点におけるスループット推定値を計算し、前記サービス品質判定手段は、前記サービス品質計算手段による該計算結果を用いて所定のサービス品質を満足していない前記ユーザ端末の有無を判定することを特徴とする付記１０乃至付記１３のいずれかの付記に記載の移動通信システム。
（付記１６）  前記第２の負荷情報は、前記起動基地局候補を起動した後の前記ユーザ端末の接続セルの変化に伴う起動中の基地局のそれぞれに接続するユーザ端末数であって、
前記サービス品質計算手段は、前記推定無線品質情報と、前記第１の負荷情報が含む接続セルに接続するユーザ端末数、前記第２の負荷情報、および前記周波数ブロック使用率をパラメータとして、前記起動基地局候補を起動した後の前記ユーザ端末の前記サービス品質推定値を計算することを特徴とする付記１５に記載の移動通信システム。
（付記１７）  前記サービス品質判定手段は、所定周期、またはユーザ端末数の変化により前記接続セルの負荷が変化したこと、を契機に所定のサービス品質を満足していない前記ユーザ端末の有無を判定することを特徴とする付記１０乃至付記１６のいずれかの付記に記載の移動通信システム。
（付記１８）  所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信して、所定のサービス品質を満足していない前記ユーザ端末の有無を判定し、
前記サービス品質を満足していない前記ユーザ端末が有ることを判定すると、前記サービス品質を満足していない前記ユーザ端末の接続セルの周辺セルを管理できる休止中の基地局を、起動基地局候補として選択し、
前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得し、
前記推定無線品質情報、前記第１の負荷情報および前記第２の負荷情報に基づいて、前記起動基地局候補を起動した後の前記ユーザ端末のサービス品質の推定値をサービス品質推定値として計算し、
前記サービス品質推定値に基づいて、前記起動基地局候補のいずれかを起動すべき基地局として選択し、選択した該基地局に、休止中から起動状態に移行させる起動指示を通知する
ことを特徴とする基地局制御方法。
（付記１９）  前記起動基地局候補のいずれかを起動すべき基地局として選択するに際し、
前記起動基地局候補をそれぞれ起動した場合の前記サービス品質推定値を比較し、前記サービス品質推定値の最小値が最大となる前記起動基地局候補を起動すべき基地局として選択することを特徴とする付記１８に記載の基地局制御方法。
（付記２０）  前記サービス品質を満足していない前記ユーザ端末が有ることを判定した場合に、
前記サービス品質を満足していない前記ユーザ端末の接続セルの周辺セルを管理できる休止中の複数の基地局のすべての組み合わせを、起動基地局組み合わせ候補として選択し、
前記起動基地局組み合わせ候補に含まれる基地局を起動した場合の前記推定無線品質情報を推定し、
該推定無線品質情報に基づいて前記ユーザ端末の接続セルの変化を予測して、前記起動基地局組み合わせ候補に含まれる基地局を起動した後の起動中の基地局のそれぞれの第２の負荷情報を取得し、
前記推定無線品質情報、前記第１の負荷情報および前記第２の負荷情報に基づいて、前記起動基地局組み合わせ候補に含まれる基地局を起動した後の前記サービス品質推定値を計算し、
前記起動基地局組み合わせ候補をそれぞれ起動した場合の前記サービス品質推定値を比較し、前記サービス品質推定値を満足し、かつ起動する基地局数が最小となる起動基地局組み合わせ候補を決定し、
該起動基地局組み合わせ候補に含まれるすべての基地局に前記起動指示を通知する
ことを特徴とする付記１８に記載の基地局制御方法。
（付記２１）  前記起動基地局候補を起動した場合に、前記推定無線品質情報を推定し、前記ユーザ端末の接続セルの変化を予測するに際し、
前記ＵＥ測定情報と、位置情報と該位置で測定される各セルの無線品質情報を対応させて予め登録してあるデータベースと、を参照して前記推定無線品質情報を推定し、
該推定無線品質情報に基づいて前記ユーザ端末のハンドオーバの有無を判定して前記ユーザ端末の接続セルの変化を予測することを特徴とする付記１８乃至付記２０のいずれかの付記に記載の基地局制御方法。
（付記２２）  前記サービス品質は、前記ユーザ端末のスループットまたは送信遅延時間であることを特徴とする付記１８乃至付記２１のいずれかの付記に記載の基地局制御方法。
（付記２３）  前記第１の負荷情報は、前記接続セルに接続する前記ユーザ端末のスループット、該接続セルに接続するユーザ端末数、および周波数ブロック（Ｒｅｓｏｕｒｃｅ  Ｂｌｏｃｋ）使用率を含み、
所定のサービス品質を満足していない前記ユーザ端末の有無の判定に際し、前記ＵＥ測定情報と前記第１の負荷情報をパラメータとして前記ユーザ端末の現時点におけるスループット推定値を計算することを特徴とする付記１８乃至付記２１のいずれかの付記に記載の基地局制御方法。
（付記２４）  前記第２の負荷情報は、前記起動基地局候補を起動した後の前記ユーザ端末の接続セルの変化に伴う起動中の基地局のそれぞれに接続するユーザ端末数であって、
前記起動基地局候補を起動した後の前記ユーザ端末の前記サービス品質推定値を計算するに際し、前記推定無線品質情報と、前記第１の負荷情報が含む接続セルに接続するユーザ端末数、前記第２の負荷情報、および前記周波数ブロック使用率をパラメータとして計算することを特徴とする付記２３に記載の基地局制御方法。
（付記２５）  所定周期、またはユーザ端末数の変化により前記接続セルの負荷が変化したこと、を契機に所定のサービス品質を満足していない前記ユーザ端末の有無を判定することを特徴とする付記１８乃至付記２４のいずれかの付記に記載の基地局制御方法。
（付記２６）  コンピュータを、
所定のエリア内に配備された複数の基地局のそれぞれから、該基地局が管理するセルを接続セルとするユーザ端末のサービス品質の実測値を含む該基地局の第１の負荷情報と、前記ユーザ端末が該基地局に報告した、位置情報と該位置で測定される各セルの無線品質情報を含むＵＥ（Ｕｓｅｒ  Ｅｑｕｉｐｍｅｎｔ）測定情報を受信し、所定のサービス品質を満足していない前記ユーザ端末の有無を判定するサービス品質判定機能手段と、
前記サービス品質を満足していない前記ユーザ端末が有ることを前記サービス品質判定機能手段が判定した場合、前記サービス品質を満足していない前記ユーザ端末の接続セルの周辺セルを管理できる休止中の基地局を、起動基地局候補として選択する起動基地局候補選択機能手段と、
前記起動基地局候補を起動した場合に前記ユーザ端末で測定される各セルの無線品質情報を推定無線品質情報として推定し、該推定無線品質情報に基づいて前記ユーザ端末の接続セルの変化を予測して、前記起動基地局候補を起動した後の起動中の基地局のそれぞれの第２の負荷情報を取得する無線品質情報計算機能手段と、
前記推定無線品質情報、前記第１の負荷情報および前記第２の負荷情報に基づいて、前記起動基地局候補を起動した後の前記ユーザ端末のサービス品質の推定値をサービス品質推定値として計算するサービス品質計算機能手段と、
前記起動基地局候補のいずれかを、前記サービス品質推定値に基づいて、起動すべき基地局として選択し、選択した該基地局に、休止中から起動状態に移行させる起動指示を通知する基地局起動通知機能手段と
として機能させるためのプログラム。
（付記２７）  前記基地局起動通知機能手段は、前記起動基地局候補をそれぞれ起動した場合の前記サービス品質推定値を比較し、前記サービス品質推定値の最小値が最大となる前記起動基地局候補を起動すべき基地局として選択することを特徴とする付記２６に記載のプログラム。
（付記２８）  前記起動基地局候補選択機能手段は、前記サービス品質を満足していない前記ユーザ端末の接続セルの周辺セルを管理できる休止中の複数の基地局のすべての組み合わせを、起動基地局組み合わせ候補として選択し、
前記無線品質情報計算機能手段は、前記起動基地局組み合わせ候補に含まれる基地局を起動した場合の前記推定無線品質情報を推定し、該推定無線品質情報に基づいて前記ユーザ端末の接続セルの変化を予測して、前記起動基地局組み合わせ候補に含まれる基地局を起動した後の起動中の基地局のそれぞれの第２の負荷情報を取得し、
前記サービス品質計算機能手段は、前記推定無線品質情報、前記第１の負荷情報および前記第２の負荷情報に基づいて、前記起動基地局組み合わせ候補に含まれる基地局を起動した後の前記サービス品質推定値を計算し、
前記基地局起動通知機能手段は、前記起動基地局組み合わせ候補をそれぞれ起動した場合の前記サービス品質推定値を比較し、前記サービス品質推定値を満足し、かつ起動する基地局数が最小となる起動基地局組み合わせ候補を選択し、選択した該起動基地局組み合わせ候補に含まれるすべての基地局に前記起動指示を通知する
ことを特徴とする付記２６に記載のプログラム。
（付記２９）  前記無線品質情報計算機能手段は、前記ＵＥ測定情報と、位置情報と該位置で測定される各セルの無線品質情報を対応させて予め登録してあるデータベースと、を参照して前記推定無線品質情報を推定し、該推定無線品質情報に基づいて前記ユーザ端末のハンドオーバの有無を判定して前記ユーザ端末の接続セルの変化を予測することを特徴とする付記２６乃至付記２８のいずれかの付記に記載のプログラム。
（付記３０）  前記サービス品質は、前記ユーザ端末のスループットまたは送信遅延時間であることを特徴とする付記２６乃至付記２９のいずれかの付記に記載のプログラム。
（付記３１）  前記第１の負荷情報は、前記接続セルに接続する前記ユーザ端末のスループット、該接続セルに接続するユーザ端末数、および周波数ブロック（Ｒｅｓｏｕｒｃｅ  Ｂｌｏｃｋ）使用率を含み、
前記サービス品質計算機能手段は、前記ＵＥ測定情報と前記第１の負荷情報をパラメータとして前記ユーザ端末の現時点におけるスループット推定値を計算し、前記サービス品質判定機能手段は、前記サービス品質計算機能手段による該計算結果を用いて所定のサービス品質を満足していない前記ユーザ端末の有無を判定することを特徴とする付記２６乃至付記２９のいずれかの付記に記載のプログラム。
（付記３２）  前記第２の負荷情報は、前記起動基地局候補を起動した後の前記ユーザ端末の接続セルの変化に伴う起動中の基地局のそれぞれに接続するユーザ端末数であって、
前記サービス品質計算機能手段は、前記推定無線品質情報と、前記第１の負荷情報が含む接続セルに接続するユーザ端末数、前記第２の負荷情報、および前記周波数ブロック使用率をパラメータとして、前記起動基地局候補を起動した後の前記ユーザ端末の前記サービス品質推定値を計算することを特徴とする付記３１に記載のプログラム。
（付記３３）  前記サービス品質判定機能手段は、所定周期、またはユーザ端末数の変化により前記接続セルの負荷が変化したこと、を契機に所定のサービス品質を満足していない前記ユーザ端末の有無を判定することを特徴とする付記２６乃至付記３２のいずれかの付記に記載のプログラム。
【符号の説明】
【０２６４】
１、２、３    移動通信システム
１０、１００    基地局制御装置
２０、２０−１、２０−２、２０−３、２０−４    基地局
２１    主基地局
２２−１、２２−２、２２−３    副基地局
３０−１、３０−２、３０−３、３０−４    無線セル（セル）
３１、３２−１、３２−２、３２−３    セル
４０、４０−１、４０−２、４０−３    ユーザ端末（ＵＥ）
１１    起動基地局選択手段
１２    無線品質情報計算手段
１３    サービス品質計算手段
２０１    基地局動作手段
２０２    起動制御手段
３１    ＣＰＵ
３２    主記憶部
３３    補助記憶部
３４    通信制御部
３５    表示部
３６    入力部
３７    システムバス
１０１、２１１    起動基地局選択部
１０２、２１２    無線品質情報計算部
１０３、２１３    サービス品質計算部
１０４、２１４    ＵＥ測定情報データベース
１０１１、２１１１    サービス品質判定ユニット
１０１２、２１１２    起動基地局候補選択ユニット
１０１３、２１１３    基地局起動通知ユニット
３０１    サービス品質判定機能手段
３０２    起動基地局候補選択機能手段
３０３    無線品質情報計算機能手段
３０４    サービス品質計算機能手段
３０５    基地局起動通知機能手段
【図１】
2015220715.tif 000003
【図２】
2015220715.tif 000004
【図３】
2015220715.tif 000005
【図４】
2015220715.tif 000006
【図５】
2015220715.tif 000007
【図６】
2015220715.tif 000008
【図７】
2015220715.tif 000009
【図８】
2015220715.tif 000010
【図９】
2015220715.tif 000011
【図１０】
2015220715.tif 000012
【図１１】
2015220715.tif 000013
【図１２】
2015220715.tif 000014
【図１３】
2015220715.tif 000015
【図１４】
2015220715.tif 000016
【図１５】
2015220715.tif 000017
【図１６】
2015220715.tif 000018